(57)【要約】【課題】静止画及びオーディオが記録された情報記録媒体を利用し、静止画の再生に伴って様々な態様でオーディオを再生することを可能とする。【解決手段】情報記録媒体には、例えばスライドショーなどと呼ばれる形態で連続して再生される複数の静止画情報と、それら静止画情報と同期して再生されるオーディオ情報が記録されている。さらに、複数の静止画情報に同期してオーディオ情報を再生するための再生制御情報も記録されている。複数の静止画情報が順次再生されるときには、再生制御情報に従い、静止画情報に同期してオーディオ情報が再生される。再生制御情報には、オーディオ情報のリピートを制御するオーディオリピート情報が含まれており、それに従ってオーディオ情報のリピート再生が制御される。【選択図】図４
2010003407.tif 000002
【特許請求の範囲】
【請求項１】
静止画情報を含む第１ストリームと、オーディオ情報を含む第２ストリームとがパケット単位で多重化されてなるオブジェクトデータ、及び、前記第１ストリームと前記第２ストリームとを同時に再生させるための再生制御情報を記録する情報記録媒体であって、
前記再生制御情報は、
前記第１ストリームの再生シーケンスを指定する第１再生シーケンス情報と、
前記第１再生シーケンス情報の数を示す第１単位数情報と、
前記第１再生シーケンス情報により指定される前記第１ストリームの再生開始時間を示す時間情報と、
前記第１ストリームの前記静止画情報の各静止画の再生時間が有限値か無限値か、及び、前記静止画情報の各静止画の前記再生時間が有限値である場合、当該静止画の再生時間を示す再生時間情報であって、各静止画毎に個別に設定可能な前記再生時間情報と、
前記第１再生シーケンス情報が指定する前記第１ストリームの格納位置を示す第１格納位置情報と、
前記第１格納位置情報を指定する第１格納位置指定情報と、
前記第１ストリームに属するパケットを識別するための識別情報と、
前記第１ストリームと同時に前記第２ストリームを再生するように、前記第２ストリームの再生シーケンスを指定する第２再生シーケンス情報と、
前記第２再生シーケンス情報の数を示す第２単位数情報と、
前記第２ストリームのオーディオ情報を繰り返し再生するか否かを示す音声繰返情報と、
前記第２再生シーケンス情報が指定する第２ストリームの格納位置を示す第２格納位置情報と、
前記第２格納位置情報を指定する第２格納位置指定情報と、
前記第２ストリームに属するパケットを識別するための識別情報と、を備え、
前記オブジェクトデータと前記再生制御情報が別の領域に分けて記録されており、更に、前記再生制御情報について、少なくとも前記第１再生シーケンス情報と前記第２再生シーケンス情報と第１格納位置指定情報と第２格納位置指定情報を格納する再生シーケンス情報ファイルと、少なくとも前記第１格納位置情報と前記第２格納位置情報とを格納するオブジェクト情報ファイルとが別の領域に分けて記録されていることを特徴とする情報記録媒体。
【請求項２】
前記再生制御情報は、前記静止画情報のリピート再生を制御するための静止画リピート情報を含むことを特徴とする請求項１に記載の情報記録媒体。
【請求項３】
前記再生制御情報は、前記静止画の再生時間軸を基準として、前記オーディオ情報の再生タイミングを規定していることを特徴とする請求項１又は２に記載の情報記録媒体。
【請求項４】
前記静止画情報の各々は静止画コンテンツの再生シーケンスを規定するアイテム単位で構成されており、
前記再生制御情報は、前記第１ストリームの種別を示す第１種別情報と前記第２ストリームの種別を示す第２種別情報とを含むことを特徴とする請求項１乃至３のいずれか一項に記載の情報記録媒体。
【請求項５】
静止画情報を含む第１ストリームと、オーディオ情報を含む第２ストリームとがパケット単位で多重化されてなるオブジェクトデータを記録する第１記録手段と、
前記第１ストリームと前記第２ストリームとを同時に再生させるための再生制御情報を記録する第２記録手段と、を備える情報記録装置であって、
前記再生制御情報は、
前記第１ストリームの再生シーケンスを指定する第１再生シーケンス情報と、
前記第１再生シーケンス情報の数を示す第１単位数情報と、
前記第１再生シーケンス情報により指定される前記第１ストリームの再生開始時間を示す時間情報と、
前記第１ストリームの前記静止画情報の各静止画の再生時間が有限値か無限値か、及び、前記静止画情報の各静止画の前記再生時間が有限値である場合、当該静止画の再生時間を示す再生時間情報であって、各静止画毎に個別に設定可能な前記再生時間情報と、
前記第１再生シーケンス情報が指定する前記第１ストリームの格納位置を示す第１格納位置情報と、
前記第１格納位置情報を指定する第１格納位置指定情報と、
前記第１ストリームに属するパケットを識別するための識別情報と、
前記第１ストリームと同時に前記第２ストリームを再生するように、前記第２ストリームの再生シーケンスを指定する第２再生シーケンス情報と、
前記第２再生シーケンス情報の数を示す第２単位数情報と、
前記第２ストリームのオーディオ情報を繰り返し再生するか否かを示す音声繰返情報と、
前記第２再生シーケンス情報が指定する第２ストリームの格納位置を示す第２格納位置情報と、
前記第２格納位置情報を指定する第２格納位置指定情報と、
前記第２ストリームに属するパケットを識別するための識別情報と、を備え、
前記第１記録手段及び前記第２記録手段は、前記オブジェクトデータと前記再生制御情報とを別の領域に分けて記録し、更に、前記再生制御情報について、少なくとも前記第１再生シーケンス情報と前記第２再生シーケンス情報と第１格納位置指定情報と第２格納位置指定情報を格納する再生シーケンス情報ファイルと、少なくとも前記第１格納位置情報と前記第２格納位置情報とを格納するオブジェクト情報ファイルとを別の領域に分けて記録することを特徴とする情報記録装置。
【請求項６】
静止画情報を含む第１ストリームと、オーディオ情報を含む第２ストリームとがパケット単位で多重化されてなるオブジェクトデータを記録する第１記録工程と、
前記第１ストリームと前記第２ストリームとを同時に再生させるための再生制御情報を記録する第２記録工程と、を備える情報記録方法であって、
前記再生制御情報は、
前記第１ストリームの再生シーケンスを指定する第１再生シーケンス情報と、
前記第１再生シーケンス情報の数を示す第１単位数情報と、
前記第１再生シーケンス情報により指定される前記第１ストリームの再生開始時間を示す時間情報と、
前記第１ストリームの前記静止画情報の各静止画の再生時間が有限値か無限値か、及び、前記静止画情報の各静止画の前記再生時間が有限値である場合、当該静止画の再生時間を示す再生時間情報であって、各静止画毎に個別に設定可能な前記再生時間情報と、
前記第１再生シーケンス情報が指定する前記第１ストリームの格納位置を示す第１格納位置情報と、
前記第１格納位置情報を指定する第１格納位置指定情報と、
前記第１ストリームに属するパケットを識別するための識別情報と、
前記第１ストリームと同時に前記第２ストリームを再生するように、前記第２ストリームの再生シーケンスを指定する第２再生シーケンス情報と、
前記第２再生シーケンス情報の数を示す第２単位数情報と、
前記第２ストリームのオーディオ情報を繰り返し再生するか否かを示す音声繰返情報と、
前記第２再生シーケンス情報が指定する第２ストリームの格納位置を示す第２格納位置情報と、
前記第２格納位置情報を指定する第２格納位置指定情報と、
前記第２ストリームに属するパケットを識別するための識別情報と、を備え、
前記第１記録工程及び前記第２記録工程は、前記オブジェクトデータと前記再生制御情報とを別の領域に分けて記録し、更に、前記再生制御情報について、少なくとも前記第１再生シーケンス情報と前記第２再生シーケンス情報と第１格納位置指定情報と第２格納位置指定情報を格納する再生シーケンス情報ファイルと、少なくとも前記第１格納位置情報と前記第２格納位置情報とを格納するオブジェクト情報ファイルとを別の領域に分けて記録することを特徴とする情報記録方法。
【請求項７】
静止画情報を含む第１ストリームと、オーディオ情報を含む第２ストリームとがパケット単位で多重化されてなるオブジェクトデータ、及び、前記第１ストリームと前記第２ストリームとを同時に再生させるための再生制御情報が記録された情報記録媒体を再生する情報再生装置であって、
前記再生制御情報は、
前記第１ストリームの再生シーケンスを指定する第１再生シーケンス情報と、
前記第１再生シーケンス情報の数を示す第１単位数情報と、
前記第１再生シーケンス情報により指定される前記第１ストリームの再生開始時間を示す時間情報と、
前記第１ストリームの前記静止画情報の各静止画の再生時間が有限値か無限値か、及び、前記静止画情報の各静止画の前記再生時間が有限値である場合、当該静止画の再生時間を示す再生時間情報であって、各静止画毎に個別に設定可能な前記再生時間情報と、
前記第１再生シーケンス情報が指定する前記第１ストリームの格納位置を示す第１格納位置情報と、
前記第１格納位置情報を指定する第１格納位置指定情報と、
前記第１ストリームに属するパケットを識別するための識別情報と、
前記第１ストリームと同時に前記第２ストリームを再生するように、前記第２ストリームの再生シーケンスを指定する第２再生シーケンス情報と、
前記第２再生シーケンス情報の数を示す第２単位数情報と、
前記第２ストリームのオーディオ情報を繰り返し再生するか否かを示す音声繰返情報と、
前記第２再生シーケンス情報が指定する第２ストリームの格納位置を示す第２格納位置情報と、
前記第２格納位置情報を指定する第２格納位置指定情報と、
前記第２ストリームに属するパケットを識別するための識別情報と、を備え、
前記オブジェクトデータと前記再生制御情報が別の領域に分けて記録されており、更に、前記再生制御情報について、少なくとも前記第１再生シーケンス情報と前記第２再生シーケンス情報と第１格納位置指定情報と第２格納位置指定情報を格納する再生シーケンス情報ファイルと、少なくとも前記第１格納位置情報と前記第２格納位置情報とを格納するオブジェクト情報ファイルとが別の領域に分けて記録されており、
前記情報再生装置は、
前記情報記録媒体から前記静止画情報、前記オーディオ情報および前記再生制御情報を読み取る読取手段と、
前記静止画情報と前記オーディオ情報を再生する再生手段と、
前記再生制御情報に応じて、前記静止画情報および前記オーディオ情報の再生を制御する制御手段と、を備え、
前記制御手段は、前記再生時間情報が有限値の再生時間を示す場合に各静止画を前記再生時間情報に示される時間再生し、前記オーディオ繰返情報が繰返し再生を示す際に前記オーディオ情報を繰返し再生することを特徴とする情報再生装置。
【請求項８】
静止画情報を含む第１ストリームと、オーディオ情報を含む第２ストリームとがパケット単位で多重化されてなるオブジェクトデータ、及び、前記第１ストリームと前記第２ストリームとを同時に再生させるための再生制御情報が記録された情報記録媒体を再生する情報再生方法であって、
前記再生制御情報は、
前記第１ストリームの再生シーケンスを指定する第１再生シーケンス情報と、
前記第１再生シーケンス情報の数を示す第１単位数情報と、
前記第１再生シーケンス情報により指定される前記第１ストリームの再生開始時間を示す時間情報と、
前記第１ストリームの前記静止画情報の各静止画の再生時間が有限値か無限値か、及び、前記静止画情報の各静止画の前記再生時間が有限値である場合、当該静止画の再生時間を示す再生時間情報であって、各静止画毎に個別に設定可能な前記再生時間情報と、
前記第１再生シーケンス情報が指定する前記第１ストリームの格納位置を示す第１格納位置情報と、
前記第１格納位置情報を指定する第１格納位置指定情報と、
前記第１ストリームに属するパケットを識別するための識別情報と、
前記第１ストリームと同時に前記第２ストリームを再生するように、前記第２ストリームの再生シーケンスを指定する第２再生シーケンス情報と、
前記第２再生シーケンス情報の数を示す第２単位数情報と、
前記第２ストリームのオーディオ情報を繰り返し再生するか否かを示す音声繰返情報と、
前記第２再生シーケンス情報が指定する第２ストリームの格納位置を示す第２格納位置情報と、
前記第２格納位置情報を指定する第２格納位置指定情報と、
前記第２ストリームに属するパケットを識別するための識別情報と、を備え、
前記オブジェクトデータと前記再生制御情報が別の領域に分けて記録されており、更に、前記再生制御情報について、少なくとも前記第１再生シーケンス情報と前記第２再生シーケンス情報と第１格納位置指定情報と第２格納位置指定情報を格納する再生シーケンス情報ファイルと、少なくとも前記第１格納位置情報と前記第２格納位置情報とを格納するオブジェクト情報ファイルとが別の領域に分けて記録されており、
前記情報再生方法は、
前記情報記録媒体から前記静止画情報、前記オーディオ情報および前記再生制御情報を読み取る読取工程と、
前記静止画情報と前記オーディオ情報を再生する再生工程と、
前記再生制御情報に応じて、前記静止画情報および前記オーディオ情報の再生を制御する制御工程と、を備え、
前記制御工程は、前記再生時間情報が有限値の再生時間を示す場合に各静止画を前記再生時間情報に示される時間再生し、前記オーディオ繰返情報が繰返し再生を示す際に前記オーディオ情報を繰返し再生することを特徴とする情報再生方法。
【発明の詳細な説明】
【技術分野】
【０００１】
本発明は、主映像、音声、副映像、再生制御情報等の各種情報を高密度に記録可能な高密度光ディスク等の情報記録媒体、当該情報記録媒体に情報を記録するための情報記録装置及び方法、当該情報記録媒体から情報を再生するための情報再生装置及び方法、このような記録及び再生の両方が可能である情報記録再生装置及び方法の技術分野に属する。
【背景技術】
【０００２】
いわゆる“ＤＶＤオーディオ規格”においては、ある曲を再生している間に予め用意された静止画を出力、表示し、かつ、ユーザによる再生装置の操作などにより、表示される静止画を順送りできる“ブラウザブルスライドショー”が使用されている。
【０００３】
このブラウザブルスライドショーは、オーディオをメインのコンテンツとして扱うものであり、オーディオの再生クロックを基準にし、オーディオが存在している時間内でのみ静止画の表示が可能となるものである。つまり、オーディオが存在していないときには、静止画の表示を行うことはできない。本発明が解決しようとする課題は例えば上記のものが一例として挙げられる。
【０００４】
なお、本発明に関連のある技術が特許文献１乃至３に記載されている。
【先行技術文献】
【特許文献】
【０００５】
【特許文献１】特開２００１−１２６４５５号公報
【特許文献２】特開昭６４−０２３６８９号公報
【特許文献３】特開２００２−３０５７０５号公報
【発明の概要】
【発明が解決しようとする課題】
【０００６】
本発明は、静止画及びオーディオが記録された情報記録媒体を利用し、静止画の再生に伴って様々な態様でオーディオを再生することを可能とする情報記録媒体、情報記録装置及び方法、情報再生装置及び方法、情報記録再生装置及び方法を提供することを課題とする。
【課題を解決するための手段】
【０００７】
本発明の１つの観点は、静止画情報を含む第１ストリームと、オーディオ情報を含む第２ストリームとがパケット単位で多重化されてなるオブジェクトデータ、及び、前記第１ストリームと前記第２ストリームとを同時に再生させるための再生制御情報を記録する情報記録媒体であって、前記再生制御情報は、前記第１ストリームの再生シーケンスを指定する第１再生シーケンス情報と、前記第１再生シーケンス情報の数を示す第１単位数情報と、前記第１再生シーケンス情報により指定される前記第１ストリームの再生開始時間を示す時間情報と、前記第１ストリームの前記静止画情報の各静止画の再生時間が有限値か無限値か、及び、前記静止画情報の各静止画の前記再生時間が有限値である場合、当該静止画の再生時間を示す再生時間情報であって、各静止画毎に個別に設定可能な前記再生時間情報と、前記第１再生シーケンス情報が指定する前記第１ストリームの格納位置を示す第１格納位置情報と、前記第１格納位置情報を指定する第１格納位置指定情報と、前記第１ストリームに属するパケットを識別するための識別情報と、前記第１ストリームと同時に前記第２ストリームを再生するように、前記第２ストリームの再生シーケンスを指定する第２再生シーケンス情報と、前記第２再生シーケンス情報の数を示す第２単位数情報と、前記第２ストリームのオーディオ情報を繰り返し再生するか否かを示す音声繰返情報と、前記第２再生シーケンス情報が指定する第２ストリームの格納位置を示す第２格納位置情報と、前記第２格納位置情報を指定する第２格納位置指定情報と、前記第２ストリームに属するパケットを識別するための識別情報と、を備え、前記オブジェクトデータと前記再生制御情報が別の領域に分けて記録されており、更に、前記再生制御情報について、少なくとも前記第１再生シーケンス情報と前記第２再生シーケンス情報と第１格納位置指定情報と第２格納位置指定情報を格納する再生シーケンス情報ファイルと、少なくとも前記第１格納位置情報と前記第２格納位置情報とを格納するオブジェクト情報ファイルとが別の領域に分けて記録されている。
【０００８】
上記の情報記録媒体の一態様では、前記再生制御情報は、前記静止画情報のリピート再生を制御するための静止画リピート情報を含む。
【０００９】
上記の情報記録媒体の他の一態様では、前記再生制御情報は、前記静止画の再生時間軸を基準として、前記オーディオ情報の再生タイミングを規定している。
【００１０】
上記の情報記録媒体の他の一態様では、前記静止画情報の各々は静止画コンテンツの再生シーケンスを規定するアイテム単位で構成されており、前記再生制御情報は、前記第１ストリームの種別を示す第１種別情報と前記第２ストリームの種別を示す第２種別情報とを含む。
【００１１】
本発明の他の観点は、静止画情報を含む第１ストリームと、オーディオ情報を含む第２ストリームとがパケット単位で多重化されてなるオブジェクトデータを記録する第１記録手段と、前記第１ストリームと前記第２ストリームとを同時に再生させるための再生制御情報を記録する第２記録手段と、を備える情報記録装置であって、前記再生制御情報は、前記第１ストリームの再生シーケンスを指定する第１再生シーケンス情報と、前記第１再生シーケンス情報の数を示す第１単位数情報と、前記第１再生シーケンス情報により指定される前記第１ストリームの再生開始時間を示す時間情報と、前記第１ストリームの前記静止画情報の各静止画の再生時間が有限値か無限値か、及び、前記静止画情報の各静止画の前記再生時間が有限値である場合、当該静止画の再生時間を示す再生時間情報であって、各静止画毎に個別に設定可能な前記再生時間情報と、前記第１再生シーケンス情報が指定する前記第１ストリームの格納位置を示す第１格納位置情報と、前記第１格納位置情報を指定する第１格納位置指定情報と、前記第１ストリームに属するパケットを識別するための識別情報と、前記第１ストリームと同時に前記第２ストリームを再生するように、前記第２ストリームの再生シーケンスを指定する第２再生シーケンス情報と、前記第２再生シーケンス情報の数を示す第２単位数情報と、前記第２ストリームのオーディオ情報を繰り返し再生するか否かを示す音声繰返情報と、前記第２再生シーケンス情報が指定する第２ストリームの格納位置を示す第２格納位置情報と、前記第２格納位置情報を指定する第２格納位置指定情報と、前記第２ストリームに属するパケットを識別するための識別情報と、を備え、前記第１記録手段及び前記第２記録手段は、前記オブジェクトデータと前記再生制御情報とを別の領域に分けて記録し、更に、前記再生制御情報について、少なくとも前記第１再生シーケンス情報と前記第２再生シーケンス情報と第１格納位置指定情報と第２格納位置指定情報を格納する再生シーケンス情報ファイルと、少なくとも前記第１格納位置情報と前記第２格納位置情報とを格納するオブジェクト情報ファイルとを別の領域に分けて記録する。
【００１２】
本発明の他の観点は、静止画情報を含む第１ストリームと、オーディオ情報を含む第２ストリームとがパケット単位で多重化されてなるオブジェクトデータを記録する第１記録工程と、前記第１ストリームと前記第２ストリームとを同時に再生させるための再生制御情報を記録する第２記録工程と、を備える情報記録方法であって、前記再生制御情報は、前記第１ストリームの再生シーケンスを指定する第１再生シーケンス情報と、前記第１再生シーケンス情報の数を示す第１単位数情報と、前記第１再生シーケンス情報により指定される前記第１ストリームの再生開始時間を示す時間情報と、前記第１ストリームの前記静止画情報の各静止画の再生時間が有限値か無限値か、及び、前記静止画情報の各静止画の前記再生時間が有限値である場合、当該静止画の再生時間を示す再生時間情報であって、各静止画毎に個別に設定可能な前記再生時間情報と、前記第１再生シーケンス情報が指定する前記第１ストリームの格納位置を示す第１格納位置情報と、前記第１格納位置情報を指定する第１格納位置指定情報と、前記第１ストリームに属するパケットを識別するための識別情報と、前記第１ストリームと同時に前記第２ストリームを再生するように、前記第２ストリームの再生シーケンスを指定する第２再生シーケンス情報と、前記第２再生シーケンス情報の数を示す第２単位数情報と、前記第２ストリームのオーディオ情報を繰り返し再生するか否かを示す音声繰返情報と、前記第２再生シーケンス情報が指定する第２ストリームの格納位置を示す第２格納位置情報と、前記第２格納位置情報を指定する第２格納位置指定情報と、前記第２ストリームに属するパケットを識別するための識別情報と、を備え、前記第１記録工程及び前記第２記録工程は、前記オブジェクトデータと前記再生制御情報とを別の領域に分けて記録し、更に、前記再生制御情報について、少なくとも前記第１再生シーケンス情報と前記第２再生シーケンス情報と第１格納位置指定情報と第２格納位置指定情報を格納する再生シーケンス情報ファイルと、少なくとも前記第１格納位置情報と前記第２格納位置情報とを格納するオブジェクト情報ファイルとを別の領域に分けて記録する。
【００１３】
本発明の他の観点は、静止画情報を含む第１ストリームと、オーディオ情報を含む第２ストリームとがパケット単位で多重化されてなるオブジェクトデータ、及び、前記第１ストリームと前記第２ストリームとを同時に再生させるための再生制御情報が記録された情報記録媒体を再生する情報再生装置であって、前記再生制御情報は、前記第１ストリームの再生シーケンスを指定する第１再生シーケンス情報と、前記第１再生シーケンス情報の数を示す第１単位数情報と、前記第１再生シーケンス情報により指定される前記第１ストリームの再生開始時間を示す時間情報と、前記第１ストリームの前記静止画情報の各静止画の再生時間が有限値か無限値か、及び、前記静止画情報の各静止画の前記再生時間が有限値である場合、当該静止画の再生時間を示す再生時間情報であって、各静止画毎に個別に設定可能な前記再生時間情報と、前記第１再生シーケンス情報が指定する前記第１ストリームの格納位置を示す第１格納位置情報と、前記第１格納位置情報を指定する第１格納位置指定情報と、前記第１ストリームに属するパケットを識別するための識別情報と、前記第１ストリームと同時に前記第２ストリームを再生するように、前記第２ストリームの再生シーケンスを指定する第２再生シーケンス情報と、前記第２再生シーケンス情報の数を示す第２単位数情報と、前記第２ストリームのオーディオ情報を繰り返し再生するか否かを示す音声繰返情報と、前記第２再生シーケンス情報が指定する第２ストリームの格納位置を示す第２格納位置情報と、前記第２格納位置情報を指定する第２格納位置指定情報と、前記第２ストリームに属するパケットを識別するための識別情報と、を備え、前記オブジェクトデータと前記再生制御情報が別の領域に分けて記録されており、更に、前記再生制御情報について、少なくとも前記第１再生シーケンス情報と前記第２再生シーケンス情報と第１格納位置指定情報と第２格納位置指定情報を格納する再生シーケンス情報ファイルと、少なくとも前記第１格納位置情報と前記第２格納位置情報とを格納するオブジェクト情報ファイルとが別の領域に分けて記録されており、前記情報再生装置は、前記情報記録媒体から前記静止画情報、前記オーディオ情報および前記再生制御情報を読み取る読取手段と、前記静止画情報と前記オーディオ情報を再生する再生手段と、前記再生制御情報に応じて、前記静止画情報および前記オーディオ情報の再生を制御する制御手段と、を備え、前記制御手段は、前記再生時間情報が有限値の再生時間を示す場合に各静止画を前記再生時間情報に示される時間再生し、前記オーディオ繰返情報が繰返し再生を示す際に前記オーディオ情報を繰返し再生する。
【００１４】
本発明の他の観点は、静止画情報を含む第１ストリームと、オーディオ情報を含む第２ストリームとがパケット単位で多重化されてなるオブジェクトデータ、及び、前記第１ストリームと前記第２ストリームとを同時に再生させるための再生制御情報が記録された情報記録媒体を再生する情報再生方法であって、前記再生制御情報は、前記第１ストリームの再生シーケンスを指定する第１再生シーケンス情報と、前記第１再生シーケンス情報の数を示す第１単位数情報と、前記第１再生シーケンス情報により指定される前記第１ストリームの再生開始時間を示す時間情報と、前記第１ストリームの前記静止画情報の各静止画の再生時間が有限値か無限値か、及び、前記静止画情報の各静止画の前記再生時間が有限値である場合、当該静止画の再生時間を示す再生時間情報であって、各静止画毎に個別に設定可能な前記再生時間情報と、前記第１再生シーケンス情報が指定する前記第１ストリームの格納位置を示す第１格納位置情報と、前記第１格納位置情報を指定する第１格納位置指定情報と、前記第１ストリームに属するパケットを識別するための識別情報と、前記第１ストリームと同時に前記第２ストリームを再生するように、前記第２ストリームの再生シーケンスを指定する第２再生シーケンス情報と、前記第２再生シーケンス情報の数を示す第２単位数情報と、前記第２ストリームのオーディオ情報を繰り返し再生するか否かを示す音声繰返情報と、前記第２再生シーケンス情報が指定する第２ストリームの格納位置を示す第２格納位置情報と、前記第２格納位置情報を指定する第２格納位置指定情報と、前記第２ストリームに属するパケットを識別するための識別情報と、を備え、前記オブジェクトデータと前記再生制御情報が別の領域に分けて記録されており、更に、前記再生制御情報について、少なくとも前記第１再生シーケンス情報と前記第２再生シーケンス情報と第１格納位置指定情報と第２格納位置指定情報を格納する再生シーケンス情報ファイルと、少なくとも前記第１格納位置情報と前記第２格納位置情報とを格納するオブジェクト情報ファイルとが別の領域に分けて記録されており、前記情報再生方法は、前記情報記録媒体から前記静止画情報、前記オーディオ情報および前記再生制御情報を読み取る読取工程と、前記静止画情報と前記オーディオ情報を再生する再生工程と、前記再生制御情報に応じて、前記静止画情報および前記オーディオ情報の再生を制御する制御工程と、を備え、前記制御工程は、前記再生時間情報が有限値の再生時間を示す場合に各静止画を前記再生時間情報に示される時間再生し、前記オーディオ繰返情報が繰返し再生を示す際に前記オーディオ情報を繰返し再生する。
【図面の簡単な説明】
【００１５】
【図１】本発明の情報記録媒体の一実施例である光ディスクの基本構造を示し、上側部分は複数のエリアを有する光ディスクの概略平面図であり、これに対応付けられる下側部分は、その径方向におけるエリア構造の図式的概念図である。
【図２】図２Ａは、従来のＭＰＥＧ２のプログラムストリームの図式的概念図であり、図２Ｂは、本実施例で利用されるＭＰＥＧ２のトランスポートストリームの図式的概念図である。また、図２Ｃは、本実施例で利用されるＭＰＥＧ２のプログラムストリームの図式的概念図である。
【図３】本実施例の光ディスク上に記録されるデータ構造の模式的に示す図である。
【図４】図３に示した各タイトル内におけるデータ構造の詳細を階層的に示す概念図である。
【図５】図３に示した各プレイリストセット内におけるデータ構造の詳細を階層的に示す概念図である。
【図６】図３に示した各プレイリストセット内におけるデータ構造の詳細を模式的に示す概念図である。
【図７】図６に示した各アイテムにおけるデータ構造の詳細を模式的に示す概念図である。
【図８】図４に示した各タイトルエレメント内におけるデータの論理構成を模式的に示す概念図である。
【図９】本実施例において、各プレイリストセットをプレイリスト一つから構成する場合における、図４に示した各タイトルエレメント内におけるデータの論理構成を模式的に示す概念図である。
【図１０】図３に示した各オブジェクト内におけるデータ構造の詳細を模式的に示す概念図である。
【図１１】本実施例における、上段のプログラム＃１用のエレメンタリーストリームと中段のプログラム＃２用のエレメンタリーストリームとが多重化されて、これら２つのプログラム用のトランスポートストリームが構成される様子を、横軸を時間軸として概念的に示す図である。
【図１２】本実施例における、一つのトランスポートストリーム内に多重化されたＴＳパケットのイメージを、時間の沿ったパケット配列として概念的に示す概念図である。
【図１３】実施例における光ディスク上のデータの論理構成を、論理階層からオブジェクト階層或いは実体階層への展開を中心に模式的に示した図である。
【図１４】本発明の実施例に係る情報記録再生装置のブロック図である。
【図１５】本実施例における情報記録再生装置の記録動作（その１）を示すフローチャートである。
【図１６】本実施例における情報記録再生装置の記録動作（その２）を示すフローチャートである。
【図１７】本実施例における情報記録再生装置の記録動作（その３）を示すフローチャートである。
【図１８】本実施例における情報記録再生装置の記録動作（その４）を示すフローチャートである。
【図１９】本実施例における情報記録再生装置の再生動作を示すフローチャートである。
【図２０】本実施例によるブラウザブルスライドショー再生において、静止画リピートフラグをオン、オーディオリピートフラグをオンとした場合の静止画及びオーディオの再生例を示す図である。
【図２１】本実施例によるブラウザブルスライドショー再生において、静止画リピートフラグをオン、オーディオリピートフラグをオフとした場合の静止画及びオーディオの再生例を示す図である。
【図２２】本実施例によるブラウザブルスライドショー再生において、静止画リピートフラグをオフ、オーディオリピートフラグをオンとした場合の静止画及びオーディオの再生例を示す図である。
【図２３】本実施例によるブラウザブルスライドショー再生において、静止画リピートフラグをオフ、オーディオリピートフラグをオンとした場合の静止画及びオーディオの再生例を示す図である。
【図２４】本実施例におけるブラウザブルスライドショーを実施するためのプレイリスト情報テーブルの例を示す図である。
【図２５】オブジェクト自体に時刻情報が付与されている場合の再生すべき静止画の規定例を示す。
【図２６】オブジェクト自体に時刻情報が付与されている場合の再生すべき静止画の規定例を示す。
【図２７】本実施例によるブラウザブルスライドショーの再生を含む再生処理のフローチャートである。
【図２８】図２７に示すブラウザブルスライドショーの再生に関するサブルーチンのフローチャートである。
【図２９】本実施例における、光ディスクの論理構造との関係で、再生時におけるアクセスの流れ全体を概念的に示す図である。
【図３０】本実施例におけるタイトル情報セットの一具体例における階層構造を模式的に示す概念図である。
【図３１】本実施例におけるディクヘッダの一具体例における階層構造を模式的に示す概念図である。
【図３２】本実施例におけるタイトル情報の一具体例における階層構造を模式的に示す概念図である。
【図３３】本実施例におけるプレイリストセットの一具体例における階層構造を模式的に示す概念図である。
【図３４】本実施例におけるプレイリストの一具体例における階層構造を模式的に示す概念図である。
【図３５】本実施例におけるプレイリストエレメントの一具体例における階層構造を模式的に示す概念図である。
【図３６】本実施例におけるアイテム定義テーブルの一具体例における階層構造を模式的に示す概念図である。
【図３７】本実施例による一具体例における、オブジェクト情報ファイル内に構築されるＡＵテーブル及びこれに関連付けられるＥＳマップテーブルにおけるデータ構成の一具体例を図式的に示す図である。
【図３８】本実施例による一具体例における、オブジェクト情報ファイル内に構築されるＡＵテーブル及びこれに関連付けられるＥＳマップテーブルにおけるデータ構成の一具体例を図式的に示す図である。
【図３９】プレイリストの変形例における階層構造を模式的に示す概念図である。
【発明を実施するための形態】
【００１６】
（情報記録媒体）
図１から図１３を参照して、本発明の情報記録媒体の実施例について説明する。本実施例は、本発明の情報記録媒体を、記録（書き込み）及び再生（読み出し）が可能な型の光ディスクに適用したものである。
【００１７】
先ず図１を参照して、本実施例の光ディスクの基本構造について説明する。ここに図１は、上側に複数のエリアを有する光ディスクの構造を概略平面図で示すと共に、下側にその径方向におけるエリア構造を概念図で対応付けて示すものである。
【００１８】
図１に示すように、光ディスク１００は、例えば、記録（書き込み）が複数回又は１回のみ可能な、光磁気方式、相変化方式等の各種記録方式で記録可能とされており、ＤＶＤと同じく直径１２ｃｍ程度のディスク本体上の記録面に、センターホール１０２を中心として内周から外周に向けて、リードインエリア１０４、データエリア１０６及びリードアウトエリア１０８が設けられている。そして、各エリアには、例えば、センターホール１０２を中心にスパイラル状或いは同心円状に、グルーブトラック及びランドトラックが交互に設けられており、このグルーブトラックはウオブリングされてもよいし、これらのうち一方又は両方のトラックにプレピットが形成されていてもよい。尚、本発明は、このような三つのエリアを有する光ディスクには特に限定されない。
【００１９】
次に図２Ａから２Ｃを参照して、本実施例の光ディスクに記録されるトランスポートストリーム（ＴＳ）及びプログラムストリーム（ＰＳ）の構成について説明する。ここに、図２Ａは、比較のため、従来のＤＶＤにおけるＭＰＥＧ２のプログラムストリームの構成を図式的に示すものであり、図２Ｂは、ＭＰＥＧ２のトランスポートストリーム（ＴＳ）の構成を図式的に示すものである。更に、図２Ｃは、本発明におけるＭＰＥＧ２のプログラムストリームの構成を図式的に示すものである。
【００２０】
図２Ａにおいて、従来のＤＶＤに記録される一つのプログラムストリームは、時間軸ｔに沿って、主映像情報たるビデオデータ用のビデオストリームを１本だけ含み、更に、音声情報たるオーディオデータ用のオーディオストリームを最大で８本含み且つ副映像情報たるサブピクチャデータ用のサブピクチャストリームを最大で３２本含んでなる。即ち、任意の時刻ｔｘにおいて多重化されるビデオデータは、１本のビデオストリームのみに係るものであり、例えば複数のテレビ番組或いは複数の映画などに対応する複数本のビデオストリームを同時にプログラムストリームに含ませることはできない。映像を伴うテレビ番組等を多重化して伝送或いは記録するためには、各々のテレビ番組等のために、少なくとも１本のビデオストリームが必要となるので、１本しかビデオストリームが存在しないＤＶＤのプログラムストリーム形式では、複数のテレビ番組等を多重化して伝送或いは記録することはできないのである。
【００２１】
図２Ｂにおいて、本発明の光ディスク１００に記録される一つのトランスポートストリーム（ＴＳ）は、主映像情報たるビデオデータ用のエレメンタリーストリーム（ＥＳ）としてビデオストリームを複数本含んでなり、更に音声情報たるオーディオデータ用のエレメンタリーストリーム（ＥＳ）としてオーディオストリームを複数本含み且つ副映像情報たるサブピクチャデータ用のエレメンタリーストリーム（ＥＳ）としてサブピクチャストリームを複数本含んでなる。即ち、任意の時刻ｔｘにおいて多重化されるビデオデータは、複数本のビデオストリームに係るものであり、例えば複数のテレビ番組或いは複数の映画などに対応する複数のビデオストリームを同時にトランスポートストリームに含ませることが可能である。このように複数本のビデオストリームが存在するトランスポートストリーム形式では、複数のテレビ番組等を多重化して伝送或いは記録することが可能である。但し、現況のトランスポートストリームを採用するデジタル放送では、サブピクチャストリームについては伝送していない。
【００２２】
図２Ｃにおいて、本発明の光ディスク１００に記録される一つのプログラムストリーム（ＰＳ）は、主映像情報たるビデオデータ用のビデオストリームを複数本含んでなり、更に音声情報たるオーディオデータ用のオーディオストリームを複数本含み且つ副映像情報たるサブピクチャデータ用のサブピクチャストリームを複数本含んでなる。即ち、任意の時刻ｔｘにおいて多重化されるビデオデータは、複数本のビデオストリームに係るものであり、例えば複数のテレビ番組或いは複数の映画などに対応する複数のビデオストリームを同時にプログラムストリームに含ませることが可能である。
【００２３】
尚、図２Ａから２Ｃでは説明の便宜上、ビデオストリーム、オーディオストリーム及びサブピクチャストリームを、この順に上から配列しているが、この順番は、後述の如くパケット単位で多重化される際の順番等に対応するものではない。トランスポートストリームでは、概念的には、例えば一つの番組に対して、１本のビデオストリーム、２本の音声ストリーム及び２本のサブピクチャストリームからなる一まとまりが対応している。
【００２４】
上述した本実施例の光ディスク１００は、記録レートの制限内で、図２Ｂに示した如きトランスポートストリーム（ＴＳ）を多重記録可能に、即ち複数の番組或いはプログラムを同時に記録可能に構成されている。更に、このようなトランスポートストリームに加えて又は代えて、同一光ディスク１００上に、図２Ｃに示した如きプログラムストリーム（ＰＳ）を多重記録可能に構成されている。
【００２５】
次に図３から図１０を参照して、光ディスク１００上に記録されるデータの構造について説明する。ここに、図３は、光ディスク１００上に記録されるデータ構造を模式的に示すものである。図４は、図３に示した各タイトル内におけるデータ構造の詳細を模式的に示すものである。図５及び図６は夫々、図３に示した各プレイ（Ｐ）リストセット内におけるデータ構造の詳細を模式的に示すものである。図７は、図６に示した各アイテムにおけるデータ構造の詳細を模式的に示すものである。図８は、図４に示した各タイトルエレメント内におけるデータの論理構成を模式的に示すものであり、図９は、各プレイリストセットをプレイリスト一つから構成する場合における、図４に示した各タイトルエレメント内におけるデータの論理構成を模式的に示すものである。図１０は、図３に示した各オブジェクト内におけるデータ構造の詳細を模式的に示すものである。
【００２６】
以下の説明において、「タイトル」とは、複数の「プレイリスト」を連続して実行する再生単位であり、例えば、映画１本、テレビ番組１本などの論理的に大きなまとまりを持った単位である。「プレイリストセット」とは、「プレイリスト」の束をいう。例えば、アングル再生やパレンタル再生における相互に切替可能な特定関係を有する複数のコンテンツ情報を再生するためのプレイリストの束や、同時間帯に放送され且つまとめて記録された複数番組に係るコンテンツ情報を再生するためのプレイリストの束である。或いは、同一タイトルについて、ハイビジョン対応、ディスプレイの解像度、サラウンドスピーカ対応、スピーカ配列など、情報再生システムにおいて要求される映像再生機能（ビデオパーフォーマンス）別や音声再生機能（オーディオパーフォーマンス）別など、要求機能別に用意された各種コンテンツ情報を再生するためのプレイリストの束である。「プレイリスト」とは、「オブジェクト」の再生に必要な情報を格納した情報であり、オブジェクトへアクセスするためのオブジェクトの再生範囲に関する情報が各々格納された複数の「アイテム」で構成されている。そして、「オブジェクト」とは、上述したＭＰＥＧ２のトランスポートストリームを構成するコンテンツの実体情報である。
【００２７】
図３において、光ディスク１００は、論理的構造として、ディスク情報ファイル１１０、プレイ（Ｐ）リスト情報ファイル１２０、オブジェクト情報ファイル１３０及びオブジェクトデータファイル１４０の４種類のファイルを備えており、これらのファイルを管理するためのファイルシステム１０５を更に備えている。尚、図３は、光ディスク１００上における物理的なデータ配置を直接示しているものではないが、図３に示す配列順序を、図１に示す配列順序に対応するように記録すること、即ち、ファイルシステム１０５等をリードインエリア１０４に続いてデータ記録エリア１０６に記録し、更にオブジェクトデータファイル１４０等をデータ記録エリア１０６に記録することも可能である。図１に示したリードインエリア１０４やリードアウトエリア１０８が存在せずとも、図３に示したファイル構造は構築可能である。
【００２８】
ディスク情報ファイル１１０は、光ディスク１００全体に関する総合的な情報を格納するファイルであり、ディスク総合情報１１２と、タイトル情報テーブル１１４と、その他の情報１１８とを格納する。ディスク総合情報１１２は、例えば光ディスク１００内の総タイトル数等を格納する。タイトル情報テーブル１１４は、タイトルポインタ１１４−１と、これにより識別番号又は記録アドレスが示される複数のタイトル２００（タイトル＃１〜＃ｍ）を含んで構成されている。各タイトル２００には、論理情報として、各タイトルのタイプ（例えば、シーケンシャル再生型、分岐型など）や、各タイトルを構成するプレイ（Ｐ）リスト番号をタイトル毎に格納する。
【００２９】
図４に示すように各タイトル２００は、より具体的には例えば、タイトル総合情報２００−１と、複数のタイトルエレメント２００−２と、その他の情報２００−５とを含んで構成されている。更に、各タイトルエレメント２００−２は、プリコマンド２００ＰＲと、プレイリストセットへのポインタ２００ＰＴと、ポストコマンド２００ＰＳと、その他の情報２００−６とから構成されている。
【００３０】
ここに、本発明に係る第１ポインタ情報の一例たるポインタ２００ＰＴは、当該ポインタ２００ＰＴを含むタイトルエレメント２００−２に基づいて再生されるべきコンテンツ情報に対応する、プレイリスト情報ファイル１２０内に格納されたプレイリストセット１２６Ｓの識別番号を示す。なお、ポインタ２００ＰＴは、タイトルエレメント２００−２に基づいて再生されるべきコンテンツ情報に対応するプレイリストセット１２６Ｓの記録位置を示す情報であっても良い。本発明に係る第１プリコマンドの一例たるプリコマンド２００ＰＲは、ポインタ２００ＰＴにより指定される一のプレイリストセット１２６Ｓにより再生シーケンスが規定されるコンテンツ情報の再生前に実行されるべきコマンドを示す。本発明に係る第１ポストコマンドの一例たるポストコマンド２００ＰＳは、該一のプレイリストセットにより再生シーケンスが規定されるコンテンツ情報の再生後に実行されるべきコマンドを示す。タイトルエレメント２００−２に含まれるその他の情報２００−５は、例えば、タイトルエレメントに係る再生の次の再生に係るタイトルエレメントを指定するネクスト情報を含む。
【００３１】
従って、後述する情報再生装置による当該情報記録媒体の再生時には、ポインタ２００ＰＴに従ってプレイリストセット１２６Ｓにアクセスして、それに含まれる複数のプレイリスト１２６のうち、所望の番組等に対応するものを選択するように制御を実行すれば、タイトルエレメント２００−２として当該所望のコンテンツ情報を再生できる。更に、このようなタイトルエレメント２００−２を一つ又は順次再生することで、一つのタイトル２００を再生可能となる。更に、プリコマンド２００ＰＲに従って、ポインタ２００ＰＴで指定される一のプレイリストセット１２６Ｓにより再生シーケンスが規定されるコンテンツ情報の、再生前に実行されるべきコマンドを実行できる。更に、ポストコマンド２００ＰＳに従って、ポインタ２００ＰＴで指定される一のプレイリストセット１２６Ｓにより再生シーケンスが規定されるコンテンツ情報の、再生後に実行されるべきコマンドを実行できる。ポストコマンド２００ＰＳは、例えばコンテンツ情報の分岐を命令するコマンド、次のタイトルを選ぶコマンド等である。加えて、その他の情報２００−５に含まれるネクスト情報に従って、当該再生中のタイトルエレメント２００−２の次のタイトルエレメント２００−２を再生できる。
【００３２】
再び図３において、プレイリスト情報ファイル１２０は、各プレイリストの論理的構成を示すプレイ（Ｐ）リスト情報テーブル１２１を格納し、これは、プレイ（Ｐ）リスト管理情報１２２と、プレイ（Ｐ）リストセットポインタ１２４と、複数のプレイ（Ｐ）リストセット１２６Ｓ（Ｐリストセット＃１〜＃ｎ）と、その他の情報１２８とに分かれている。このプレイリスト情報テーブル１２１には、プレイリストセット番号順に各プレイリストセット１２６Ｓの論理情報を格納する。言い換えれば、各プレイリストセット１２６Ｓの格納順番がプレイリストセット番号である。また、上述したタイトル情報テーブル１１４で、同一のプレイリストセット１２６Ｓを、複数のタイトル２００から参照することも可能である。即ち、タイトル＃ｑとタイトル＃ｒとが同じプレイリストセット＃ｐを使用する場合にも、プレイリスト情報テーブル１２１中のプレイリストセット＃ｐを、タイトル情報テーブル１１４でポイントするように構成してもよい。
【００３３】
図５に示すように、プレイリストセット１２６Ｓは、プレイリストセット総合情報１２６−１と、複数のプレイリスト１２６（プレイリスト＃１〜＃ｘ）と、アイテム定義テーブル１２６−３と、その他の情報１２６−４とを含んで構成されている。そして、各プレイリスト１２６は、複数のプレイリストエレメント１２６−２（プレイリストエレメント＃１〜＃ｙ）と、その他の情報１２６−５とを含んで構成されている。更に、各プレイリストエレメント１２６−２は、プリコマンド１２６ＰＲと、アイテムへのポインタ１２６ＰＴと、ポストコマンド１２６ＰＳと、その他の情報１２６−６とから構成されている。
【００３４】
ここに、本発明に係る第２ポインタ情報の一例たるポインタ１２６ＰＴは、当該ポインタ１２６ＰＴを含むプレイリストエレメント１２６−２に基づいて再生されるべきコンテンツ情報に対応する、アイテム定義テーブル１２６−３により定義されるアイテムの識別番号を示す。なお、ポインタ１２６ＰＴは、アイテム定義テーブル１２６−３により定義されるアイテムの記録位置であっても良い。
【００３５】
図６に例示したように、プレイリストセット１２６Ｓにおいて、アイテム定義テーブル１２６−３内には、複数のアイテム２０４が定義されている。これらは、複数のプレイリスト１２６によって共有されている。また、プレイリストセット総合情報１２６−１として、当該プレイリストセット１２６Ｓ内に含まれる各プレイリスト１２６の名称、再生時間などのＵＩ（ユーザインタフェース情報）、各アイテム定義テーブル１２６−３へのアドレス情報等が記述されている。
【００３６】
再び図５において、本発明に係る第２プリコマンドの一例たるプリコマンド１２６ＰＲは、ポインタ１２６ＰＴにより指定される一のアイテム２０４の再生前に実行されるべきコマンドを示す。本発明に係る第２ポストコマンドの一例たるポストコマンド１２６ＰＳは、該一のアイテム２０４の再生後に実行されるべきコマンドを示す。プレイリストエレメント１２６−２に含まれるその他の情報１２６−６は、例えば、プレイリストエレメント１２６−２に係る再生の次の再生に係るプレイリストエレメント１２６−２を指定する第ネクスト情報を含む。
【００３７】
図７に例示したように、アイテム２０４は、表示の最小単位である。アイテム２０４には、オブジェクトの開始アドレスを示す「ＩＮポイント情報」及び終了アドレスを示す「ＯＵＴポイント情報」が記述されている。尚、これらの「ＩＮポイント情報」及び「ＯＵＴポイント情報」は夫々、直接アドレスを示してもよいし、再生時間軸上における時間或いは時刻など間接的にアドレスを示してもよい。図中、“ストリームオブジェクト＃ｍ”で示されたオブジェクトに対して複数のＥＳ（エレメンタリーストリーム）が多重化されている場合には、アイテム２０４の指定は、特定のＥＳの組み合わせ或いは特定のＥＳを指定することになる。
【００３８】
図８に例示したように、タイトルエレメント２００−２は、論理的に、プリコマンド２００ＰＲ或いは１２６ＰＲと、ポインタ２００ＰＴにより選択されるプレイリストセット１２６Ｓと、ポストコマンド２００ＰＳ或いはポストコマンド１２６ＰＳと、ネクスト情報２００−６Ｎとから構成されている。従って、例えばビデオ解像度など、システムで再生可能な何らかの条件等に従って、プレイリストセット１２６Ｓ中からプレイリスト１２６を選択する処理が実行される。
【００３９】
但し図９に例示したように、ポインタ２００ＰＴにより指定されるプレイリストセットが単一のプレイリストからなる場合には、即ち図３に示したプレイリストセット１２６Ｓを単一のプレイリスト１２６に置き換えた場合には、タイトルエレメント２００−２は、論理的に、プリコマンド２００ＰＲ或いは１２６ＰＲと、再生時に再生されるプレイリスト１２６と、ポストコマンド２００ＰＳ或いはポストコマンド１２６ＰＳと、ネクスト情報２００−６Ｎとから構成されてもよい。この場合には、システムで再生可能な条件等に拘わらず、プレイリストセットが再生用に指定されれば、単一のプレイリスト１２６の再生処理が実行されることになる。
【００４０】
再び図３において、オブジェクト情報ファイル１３０は、各プレイリスト１２６内に構成される各アイテムに対するオブジェクトデータファイル１４０中の格納位置（即ち、再生対象の論理アドレス）や、そのアイテムの再生に関する各種属性情報が格納される。本実施例では特に、オブジェクト情報ファイル１３０は、後に詳述する複数のＡＵ（アソシエートユニット）情報１３２Ｉ（ＡＵ＃１〜ＡＵ#ｑ）を含んでなるＡＵテーブル１３１と、ＥＳ（エレメンタリーストリーム）マップテーブル１３４と、その他の情報１３８とを格納する。
【００４１】
オブジェクトデータファイル１４０は、トランスポートストリーム（ＴＳ）別のＴＳオブジェクト１４２（ＴＳ＃１オブジェクト〜ＴＳ＃ｓオブジェクト）、即ち実際に再生するコンテンツの実体データを、複数格納する。
【００４２】
尚、図３を参照して説明した４種類のファイルは、更に夫々複数のファイルに分けて格納することも可能であり、これらを全てファイルシステム１０５により管理してもよい。例えば、オブジェクトデータファイル１４０を、オブジェクトデータファイル＃１、オブジェクトデータファイル＃２、…というように複数に分けることも可能である。
【００４３】
図１０に示すように、論理的に再生可能な単位である図３に示したＴＳオブジェクト１４２は、例えば６ｋＢのデータ量を夫々有する複数のアラインドユニット１４３に分割されてなる。アラインドユニット１４３の先頭は、ＴＳオブジェクト１４２の先頭に一致（アラインド）されている。各アラインドユニット１４３は更に、１９２Ｂのデータ量を夫々有する複数のソースパケット１４４に細分化されている。ソースパケット１４４は、物理的に再生可能な単位であり、この単位即ちパケット単位で、光ディスク１００上のデータのうち少なくともビデオデータ、オーディオデータ及びサブピクチャデータは多重化されており、その他の情報についても同様に多重化されてよい。各ソースパケット１４４は、４Ｂのデータ量を有する、再生時間軸上におけるＴＳ（トランスポートストリーム）パケットの再生処理開始時刻を示すパケットアライバルタイムスタンプ等の再生を制御するための制御情報１４５と、１８８Ｂのデータ量を有するＴＳパケット１４６とを含んでなる。ＴＳパケット１４６（“ＴＳパケットペイロード”ともいう）は、パケットヘッダ１４６ａをその先頭部に有し、ビデオデータがパケット化されて「ビデオパケット」とされるか、オーディオデータがパケット化されて「オーディオパケット」とされるか、又はサブピクチャデータがパケット化されて「サブピクチャパケット」とされるか、若しくは、その他のデータがパケット化される。
【００４４】
次に図１１及び図１２を参照して、図２Ｂに示した如きトランスポートストリーム形式のビデオデータ、オーディオデータ、サブピクチャデータ等が、図４に示したＴＳパケット１４６により、光ディスク１００上に多重記録される点について説明する。ここに、図１１は、上段のプログラム＃１（ＰＧ１）用のエレメンタリーストリーム（ＥＳ）と中段のプログラム＃２（ＰＧ２）用のエレメンタリーストリーム（ＥＳ）とが多重化されて、これら２つのプログラム（ＰＧ１＆２）用のトランスポートストリーム（ＴＳ）が構成される様子を、横軸を時間軸として概念的に示すものであり、図１２は、一つのトランスポートストリーム（ＴＳ）内に多重化されたＴＳパケットのイメージを、時間の沿ったパケット配列として概念的に示すものである。
【００４５】
図１１に示すように、プログラム＃１用のエレメンタリーストリーム（上段）は、例えば、プログラム＃１用のビデオデータがパケット化されたＴＳパケット１４６が時間軸（横軸）に対して離散的に配列されてなる。プログラム＃２用のエレメンタリーストリーム（中段）は、例えば、プログラム＃２用のビデオデータがパケット化されたＴＳパケット１４６が時間軸（横軸）に対して離散的に配列されてなる。そして、これらのＴＳパケット１４６が多重化されて、これら二つのプログラム用のトランスポートストリーム（下段）が構築されている。尚、図１１では説明の便宜上省略しているが、図２Ｂに示したように、実際には、プログラム＃１用のエレメンタリーストリームとして、オーディオデータがパケット化されたＴＳパケットからなるエレメンタリーストリームやサブピクチャデータがパケット化されたＴＳパケットからなるサブピクチャストリームが同様に多重化されてもよく、更にこれらに加えて、プログラム＃２用のエレメンタリーストリームとして、オーディオデータがパケット化されたＴＳパケットからなるエレメンタリーストリームやサブピクチャデータがパケット化されたＴＳパケットからなるサブピクチャストリームが同様に多重化されてもよい。
【００４６】
図１２に示すように、本実施例では、このように多重化された多数のＴＳパケット１４６から、一つのＴＳストリームが構築される。そして、多数のＴＳパケット１４６は、このように多重化された形で、パケットアライバルタイムスタンプ等１４５の情報を付加し、光ディスク１００上に多重記録される。尚、図１２では、プログラム＃ｉ（ｉ＝１，２，３）を構成するデータからなるＴＳパケット１４６に対して、ｊ（ｊ＝１，２，…）をプログラムを構成するストリーム別の順序を示す番号として、“Ｅｌｅｍｅｎｔ（ｉ０ｊ）”で示しており、この（ｉ０ｊ）は、エレメンタリーストリーム別のＴＳパケット１４６の識別番号たるパケットＩＤとされている。このパケットＩＤは、複数のＴＳパケット１４６が同一時刻に多重化されても相互に区別可能なように、同一時刻に多重化される複数のＴＳパケット１４６間では固有の値が付与されている。
【００４７】
また図１２では、ＰＡＴ（プログラムアソシエーションテーブル）及びＰＭＴ（プログラムマップテーブル）も、ＴＳパケット１４６単位でパケット化され且つ多重化されている。これらのうちＰＡＴは、複数のＰＭＴのパケットＩＤを示すテーブルを格納している。特にＰＡＴは、所定のパケットＩＤとして、図１２のように（０００）が付与されることがＭＰＥＧ２規格で規定されている。即ち、同一時刻に多重化された多数のパケットのうち、パケットＩＤが（０００）であるＴＳパケット１４６として、ＰＡＴがパケット化されたＴＳパケット１４６が検出されるように構成されている。そして、ＰＭＴは、一又は複数のプログラムについて各プログラムを構成するエレメンタリーストリーム別のパケットＩＤを示すテーブルを格納している。ＰＭＴには、任意のパケットＩＤを付与可能であるが、それらのパケットＩＤは、上述の如くパケットＩＤが（０００）として検出可能なＰＡＴにより示されている。従って、同一時刻に多重化された多数のパケットのうち、ＰＭＴがパケット化されたＴＳパケット１４６（即ち、図１２でパケットＩＤ（１００）、（２００）、（３００）が付与されたＴＳパケット１４６）が、ＰＡＴにより検出されるように構成されている。
【００４８】
図１２に示した如きトランスポートストリームがデジタル伝送されて来た場合、チューナは、このように構成されたＰＡＴ及びＰＭＴを参照することにより、多重化されたパケットの中から所望のエレメンタリーストリームに対応するものを抜き出して、その復調が可能となるのである。
【００４９】
そして、本実施例では、図１０に示したＴＳオブジェクト１４２内に格納されるＴＳパケット１４６として、このようなＰＡＴやＰＭＴのパケットを含む。即ち、図１２に示した如きトランスポートストリームが伝送されてきた際に、そのまま光ディスク１００上に記録できるという大きな利点が得られる。
【００５０】
更に、本実施例では、このように記録されたＰＡＴやＰＭＴについては光ディスク１００の再生時には参照することなく、代わりに図３に示した後に詳述するＡＵテーブル１３１及びＥＳマップテーブル１３４を参照することによって、より効率的な再生を可能とし、複雑なマルチビジョン再生等にも対処可能とする。このために本実施例では、例えば復調時や記録時にＰＡＴ及びＰＭＴを参照することで得られるエレメンタリーストリームとパケットとの対応関係を、ＡＵテーブル１３１及びＥＳマップテーブル１３４の形で且つパケット化或いは多重化しないで、オブジェクト情報ファイル１３０内に格納するのである。
【００５１】
次に図１３を参照して、光ディスク１００上のデータの論理構成について説明する。ここに、図１３は、光ディスク１００上のデータの論理構成を、論理階層からオブジェト階層或いは実体階層への展開を中心に模式的に示したものである。
【００５２】
図１３において、光ディスク１００には、例えば映画１本、テレビ番組１本などの論理的に大きなまとまりであるタイトル２００が、一又は複数記録されている。各タイトル２００は、一又は複数のタイトルエレメント２００−２を含む。各タイトルエレメント２００−２は、複数のプレイリストセット１２６Ｓから論理的に構成されている。各タイトルエレメント２００−２内で、複数のプレイリストセット１２６Ｓはシーケンシャル構造を有してもよいし、分岐構造を有してもよい。
【００５３】
尚、単純な論理構成の場合、一つのタイトルエレメント２００は、一つのプレイリストセット１２６Ｓから構成され、更に一つのプレイリストセット１２６Ｓは、一つのプレイリスト１２６から構成される。また、一つのプレイリストセット１２６Ｓを複数のタイトルエレメント２００−２或いは、複数のタイトル２００から参照することも可能である。
【００５４】
各プレイリスト１２６は、複数のアイテム（プレイアイテム）２０４から論理的に構成されている。各プレイリスト１２６内で、複数のアイテム２０４は、シーケンシャル構造を有してもよいし、分岐構造を有してもよい。また、一つのアイテム２０４を複数のプレイリスト１２６から参照することも可能である。アイテム２０４に記述された前述のＩＮポイント情報及びＯＵＴポイント情報により、ＴＳオブジェクト１４２の再生範囲が論理的に指定される。そして、論理的に指定された再生範囲についてオブジェクト情報１３０ｄを参照することにより、最終的にはファイルシステムを介して、ＴＳオブジェクト１４２の再生範囲が物理的に指定される。ここに、オブジェクト情報１３０ｄは、ＴＳオブジェクト１４２の属性情報、ＴＳオブジェクト１４２内におけるデータサーチに必要なＥＳアドレス情報１３４ｄ等のＴＳオブジェクト１４２を再生するための各種情報を含む（尚、図３に示したＥＳマップテーブル１３４は、このようなＥＳアドレス情報１３４ｄを複数含んでなる）。
【００５５】
そして、後述の情報記録再生装置によるＴＳオブジェクト１４２の再生時には、アイテム２０４及びオブジェクト情報１３０ｄから、当該ＴＳオブジェクト１４２における再生すべき物理的なアドレスが取得され、所望のエレメンタリーストリームの再生が実行される。
【００５６】
尚、図１３のオブジェクト情報１３０ｄ内に示した、ＥＳアドレス情報１３４ｄを複数含むＥＰ（エントリーポイント）マップは、ここでは、ＡＵテーブル１３１とＥＳマップテーブル１３４との両者をまとめたオブジェクト情報テーブルのことを指している。
【００５７】
このように本実施例では、アイテム２０４に記述されたＩＮポイント情報及びＯＵＴポイント情報並びにオブジェクト情報１３０ｄのＥＳマップテーブル１３４（図３参照）内に記述されたＥＳアドレス情報１３４ｄにより、再生シーケンスにおける論理階層からオブジェクト階層への関連付けが実行され、エレメンタリーストリームの再生が可能とされる。
【００５８】
以上詳述したように本実施例では、光ディスク１００上においてＴＳパケット１４６の単位で多重記録されており、これにより、図２Ｂに示したような多数のエレメンタリーストリームを含んでなる、トランスポートストリームを光ディスク１００上に多重記録可能とされている。本実施例によれば、デジタル放送を光ディスク１００に記録する場合、記録レートの制限内で複数の番組或いは複数のプログラムを同時に記録可能であるが、ここでは一つのＴＳオブジェクト１４２へ複数の番組或いは複数のプログラムを多重化して記録する方法を採用している。以下、このような記録処理を実行可能な情報記録再生装置の実施例について説明する。
【００５９】
（情報記録再生装置）
次に図１４から図１９を参照して、本発明の情報記録再生装置の実施例について説明する。ここに、図１４は、情報記録再生装置のブロック図であり、図１５から図１９は、その動作を示すフローチャートである。
【００６０】
図１４において、情報記録再生装置５００は、再生系と記録系とに大別されており、上述した光ディスク１００に情報を記録可能であり且つこれに記録された情報を再生可能に構成されている。本実施例では、このように情報記録再生装置５００は、記録再生用であるが、基本的にその記録系部分から本発明の記録装置の実施例を構成可能であり、他方、基本的にその再生系部分から本発明の情報再生装置の実施例を構成可能である。
【００６１】
情報記録再生装置５００は、光ピックアップ５０２、サーボユニット５０３、スピンドルモータ５０４、復調器５０６、デマルチプレクサ５０８、ビデオデコーダ５１１、オーディオデコーダ５１２、メモリ５１２ｍ、サブピクチャデコーダ５１３、加算器５１４、静止画デコーダ５１５、システムコントローラ５２０、メモリ５３０、メモリ５４０、メモリ５５０、変調器６０６、フォーマッタ６０８、ＴＳオブジェクト生成器６１０、ビデオエンコーダ６１１、オーディオエンコーダ６１２及びサブピクチャエンコーダ６１３を含んで構成されている。システムコントローラ５２０は、ファイル（Ｆｉｌｅ）システム／論理構造データ生成器５２１及びファイル（Ｆｉｌｅ）システム／論理構造データ判読器５２２を備えている。更にシステムコントローラ５２０には、メモリ５３０及び、タイトル情報等のユーザ入力を行うためのユーザインタフェース７２０が接続されている。
【００６２】
これらの構成要素のうち、復調器５０６、デマルチプレクサ５０８、ビデオデコーダ５１１、オーディオデコーダ５１２、メモリ５１２ｍ、サブピクチャデコーダ５１３、加算器５１４、静止画デコーダ５１５、メモリ５４０及びメモリ５５０から概ね再生系が構成されている。他方、これらの構成要素のうち、変調器６０６、フォーマッタ６０８、ＴＳオブジェクト生成器６１０、ビデオエンコーダ６１１、オーディオエンコーダ６１２及びサブピクチャエンコーダ６１３から概ね記録系が構成されている。そして、光ピックアップ５０２、サーボユニット５０３、スピンドルモータ５０４、システムコントローラ５２０及びメモリ５３０、並びにタイトル情報等のユーザ入力を行うためのユーザインタフェース７２０は、概ね再生系及び記録系の両方に共用される。更に記録系については、ＴＳオブジェクトデータ源７００（若しくは、ＰＳオブジェクトデータ源７００、又はビットマップデータ、ＪＰＥＧデータ等の静止画データ源７００）と、ビデオデータ源７１１、オーディオデータ源７１２及びサブピクチャデータ源７１３とが用意される。また、システムコントローラ５２０内に設けられるファイルシステム／論理構造データ生成器５２１は、主に記録系で用いられ、ファイルシステム／論理構造判読器５２２は、主に再生系で用いられる。
【００６３】
光ピックアップ５０２は、光ディスク１００に対してレーザービーム等の光ビームＬＢを、再生時には読み取り光として第１のパワーで照射し、記録時には書き込み光として第２のパワーで且つ変調させながら照射する。サーボユニット５０３は、再生時及び記録時に、システムコントローラ５２０から出力される制御信号Ｓｃ１による制御を受けて、光ピックアップ５０２におけるフォーカスサーボ、トラッキングサーボ等を行うと共にスピンドルモータ５０４におけるスピンドルサーボを行う。スピンドルモータ５０４は、サーボユニット５０３によりスピンドルサーボを受けつつ所定速度で光ディスク１００を回転させるように構成されている。
【００６４】
（ｉ）  記録系の構成及び動作：
次に図１４から図１８を参照して、情報記録再生装置５００のうち記録系を構成する各構成要素における具体的な構成及びそれらの動作を、場合分けして説明する。
【００６５】
（ｉ−１）  作成済みのＴＳオブジェクトを使用する場合：
この場合について図１４及び図１５を参照して説明する。
【００６６】
図１４において、ＴＳオブジェクトデータ源７００は、例えばビデオテープ、メモリ等の記録ストレージからなり、ＴＳオブジェクトデータＤ１を格納する。
【００６７】
図１５では先ず、ＴＳオブジェクトデータＤ１を使用して光ディスク１００上に論理的に構成する各タイトルの情報（例えば、プレイリストの構成内容等）は、ユーザインタフェース７２０から、タイトル情報等のユーザ入力Ｉ２として、システムコントローラ５２０に入力される。そして、システムコントローラ５２０は、ユーザインタフェース７２０からのタイトル情報等のユーザ入力Ｉ２を取り込む（ステップＳ２１：Ｙｅｓ及びステップＳ２２）。この際、ユーザインタフェース７２０では、システムコントローラ５２０からの制御信号Ｓｃ４による制御を受けて、例えばタイトルメニュー画面を介しての選択など、記録しようとする内容に応じた入力処理が可能とされている。尚、ユーザ入力が既に実行済み等の場合には（ステップＳ２１：Ｎｏ）、これらの処理は省略される。
【００６８】
次に、ＴＳオブジェクトデータ源７００は、システムコントローラ５２０からのデータ読み出しを指示する制御信号Ｓｃ８による制御を受けて、ＴＳオブジェクトデータＤ１を出力する。そして、システムコントローラ５２０は、ＴＳオブジェクト源７００からＴＳオブジェクトデータＤ１を取り込み（ステップＳ２３）、そのファイルシステム／論理構造データ生成器５２１内のＴＳ解析機能によって、例えば前述の如くビデオデータ等と共にパケット化されたＰＡＴ、ＰＭＴ等に基づいて、ＴＳオブジェクトデータＤ１におけるデータ配列（例えば、記録データ長等）、各エレメンタリーストリームの構成の解析（例えば、後述のＥＳ＿ＰＩＤ（エレメンタリーストリーム・パケット識別番号）の理解）などを行う（ステップＳ２４）。
【００６９】
続いて、システムコントローラ５２０は、取り込んだタイトル情報等のユーザ入力Ｉ２並びに、ＴＳオブジェクトデータＤ１のデータ配列及び各エレメンタリーストリームの解析結果から、そのファイルシステム／論理構造データ生成器５２１によって、論理情報ファイルデータＤ４として、ディスク情報ファイル１１０、プレイリスト情報ファイル１２０、オブジェクト情報ファイル１３０及びファイルシステム１０５（図３参照）を作成する（ステップＳ２５）。メモリ５３０は、このような論理情報ファイルデータＤ４を作成する際に用いられる。
【００７０】
尚、ＴＳオブジェクトデータＤ１のデータ配列及び各エレメンタリーストリームの構成情報等についてのデータを予め用意しておく等のバリエーションは当然に種々考えられるが、それらも本実施例の範囲内である。
【００７１】
図１４において、フォーマッタ６０８は、ＴＳオブジェクトデータＤ１と論理情報ファイルデータＤ４とを共に、光ディスク１００上に格納するためのデータ配列フォーマットを行う装置である。より具体的には、フォーマッタ６０８は、スイッチＳｗ１及びスイッチＳｗ２を備えてなり、システムコントローラ５２０からのスイッチ制御信号Ｓｃ５によりスイッチング制御されて、ＴＳオブジェクトデータＤ１のフォーマット時には、スイッチＳｗ１をＴ１側に接続して且つスイッチＳｗ２をＴ１側に接続して、ＴＳオブジェクトデータ源７００からのＴＳオブジェクトデータＤ１を出力する。尚、ＴＳオブジェクトデータＤ１の送出制御については、システムコントローラ５２０からの制御信号Ｓｃ８により行われる。他方、フォーマッタ６０８は、論理情報ファイルデータＤ４のフォーマット時には、システムコントローラ５２０からのスイッチ制御信号Ｓｃ５によりスイッチング制御されて、スイッチＳｗ２をＴ２側に接続して、論理情報ファイルデータＤ４を出力するように構成されている。
【００７２】
図１５のステップＳ２６では、このように構成されたフォーマッタ６０８によるスイッチング制御によって、(i)ステップＳ２５でファイルシステム／論理構造データ生成器５２１からの論理情報ファイルデータＤ４又は(ii)ＴＳオブジェクトデータ源７００からのＴＳオブジェクトデータＤ１が、フォーマッタ６０８を介して出力される（ステップＳ２６）。
【００７３】
フォーマッタ６０８からの選択出力は、ディスクイメージデータＤ５として変調器６０６に送出され、変調器６０６により変調されて、光ピックアップ５０２を介して光ディスク１００上に記録される（ステップＳ２７）。この際のディスク記録制御についても、システムコントローラ５２０により実行される。
【００７４】
そして、ステップＳ２５で生成された論理情報ファイルデータＤ４と、これに対応するＴＳオブジェクトデータＤ１とが共に記録済みでなければ、ステップＳ２６に戻って、その記録を引き続いて行う（ステップＳ２８：Ｎｏ）。尚、論理情報ファイルデータＤ４とこれに対応するＴＳオブジェクトデータＤ１との記録順についてはどちらが先でも後でもよい。
【００７５】
他方、これら両方共に記録済みであれば、光ディスク１００に対する記録を終了すべきか否かを終了コマンドの有無等に基づき判定し（ステップＳ２９）、終了すべきでない場合には（ステップＳ２９：Ｎｏ）ステップＳ２１に戻って記録処理を続ける。他方、終了すべき場合には（ステップＳ２９：Ｙｅｓ）、一連の記録処理を終了する。
【００７６】
以上のように、情報記録再生装置５００により、作成済みのＴＳオブジェクトを使用する場合における記録処理が行われる。
【００７７】
尚、図１５に示した例では、ステップＳ２５で論理情報ファイルデータＤ４を作成した後に、ステップＳ２６で論理情報ファイルデータＤ４とこれに対応するＴＳオブジェクトデータＤ１とのデータ出力を実行しているが、ステップＳ２５以前に、ＴＳオブジェクトデータＤ１の出力や光ディスク１００上への記録を実行しておき、この記録後に或いはこの記録と並行して、論理情報ファイルデータＤ４を生成や記録することも可能である。
【００７８】
加えて、ＴＳオブジェクトデータ源７００に代えて、ＰＳオブジェクトデータ源又は静止画データ源が用いられてもよい。この場合には、ＴＳオブジェクトデータＤ１に代えて、ＰＳオブジェクトデータ又は、ビットマップデータ、ＪＰＥＧデータ等の静止画データに対して、以上に説明したＴＳオブジェクトデータＤ１に対する記録処理が同様に行われ、オブジェクトデータファイル１４０内に、ＴＳオブジェクト１４２に加えて又は代えて（図３参照）、ＰＳオブジェクトデータ又は静止画オブジェクトデータが格納される。そして、ＰＳオブジェクトデータ又は静止画オブジェクトデータに関する各種論理情報が、システムコントローラ５２０の制御下で生成されて、ディスク情報ファイル１１０、プレイリスト情報ファイル１２０、オブジェクト情報ファイル１３０等内に格納される。
【００７９】
（ｉ−２）  放送中のトランスポートストリームを受信して記録する場合：
この場合について図１４及び図１６を参照して説明する。尚、図１６において、図１５と同様のステップには同様のステップ番号を付し、それらの説明は適宜省略する。
【００８０】
この場合も、上述の「作成済みのＴＳオブジェクトを使用する場合」とほぼ同様な処理が行われる。従って、これと異なる点を中心に以下説明する。
【００８１】
放送中のトランスポートストリームを受信して記録する場合には、ＴＳオブジェクトデータ源７００は、例えば放送中のデジタル放送を受信する受信器（セットトップボックス）からなり、ＴＳオブジェクトデータＤ１を受信して、リアルタイムでフォーマッタ６０８に送出する（ステップＳ４１）。これと同時に、受信時に解読された番組構成情報及び後述のＥＳ＿ＰＩＤ情報を含む受信情報Ｄ３（即ち、受信器とシステムコントローラ５２０のインタフェースとを介して送り込まれるデータに相当する情報）がシステムコントローラ５２０に取り込まれ、メモリ５３０に格納される（ステップＳ４４）。
【００８２】
一方で、フォーマッタ６０８に出力されたＴＳオブジェクトデータＤ１は、フォーマッタ６０８のスイッチング制御により変調器６０６に出力され（ステップＳ４２）、光ディスク１００に記録される（ステップＳ４３）。
【００８３】
これらと並行して、受信時に取り込まれてメモリ５３０に格納されている受信情報Ｄ３に含まれる番組構成情報及びＥＳ＿ＰＩＤ情報を用いて、ファイルシステム／論理構造生成器５２１により論理情報ファイルデータＤ４を作成する（ステップＳ２４及びステップＳ２５）。そして一連のＴＳオブジェクトデータＤ１の記録終了後に、この論理情報ファイルデータＤ４を光ディスク１００に追加記録する（ステップＳ４６及びＳ４７）。尚、これらステップＳ２４及びＳ２５の処理についても、ステップＳ４３の終了後に行ってもよい。
【００８４】
更に、必要に応じて（例えばタイトルの一部を編集する場合など）、ユーザインタフェース７２０からのタイトル情報等のユーザ入力Ｉ２を、メモリ５３０に格納されていた番組構成情報及びＥＳ＿ＰＩＤ情報に加えることで、システムコントローラ５２０により論理情報ファイルデータＤ４を作成し、これを光ディスク１００に追加記録してもよい。
【００８５】
以上のように、情報記録再生装置５００により、放送中のトランスポートストリームを受信してリアルタイムに記録する場合における記録処理が行われる。
【００８６】
尚、放送時の全受信データをアーカイブ装置に一旦格納した後に、これをＴＳオブジェクト源７００として用いれば、上述した「作成済みのＴＳオブジェクトを使用する場合」と同様な処理で足りる。
【００８７】
（ｉ−３）  ビデオ、オーディオ及びサブピクチャデータを記録する場合：
この場合について図１４及び図１７を参照して説明する。尚、図１７において、図１５と同様のステップには同様のステップ番号を付し、それらの説明は適宜省略する。
【００８８】
予め別々に用意したビデオデータ、オーディオデータ及びサブピクチャデータを記録する場合には、ビデオデータ源７１１、オーディオデータ源７１２及びサブピクチャデータ源７１３は夫々、例えばビデオテープ、メモリ等の記録ストレージからなり、ビデオデータＤＶ、オーディオデータＤＡ及びサブピクチャデータＤＳを夫々格納する。
【００８９】
これらのデータ源は、システムコントローラ５２０からの、データ読み出しを指示する制御信号Ｓｃ８による制御を受けて、ビデオデータＤＶ、オーディオデータＤＡ及びサブピクチャデータＤＳを夫々、ビデオエンコーダ６１１、オーディオエンコーダ６１２及びサブピクチャエンコーダ６１３に送出する（ステップＳ６１）。そして、これらのビデオエンコーダ６１１、オーディオエンコーダ６１２及びサブピクチャエンコーダ６１３により、所定種類のエンコード処理を実行する（ステップＳ６２）。
【００９０】
ＴＳオブジェクト生成器６１０は、システムコントローラ５２０からの制御信号Ｓｃ６による制御を受けて、このようにエンコードされたデータを、トランスポートストリームをなすＴＳオブジェクトデータに変換する（ステップＳ６３）。この際、各ＴＳオブジェクトデータのデータ配列情報（例えば記録データ長等）や各エレメンタリーストリームの構成情報（例えば、後述のＥＳ＿ＰＩＤ等）は、ＴＳオブジェクト生成器６１０から情報Ｉ６としてシステムコントローラ５２０に送出され、メモリ５３０に格納される（ステップＳ６６）。
【００９１】
他方、ＴＳオブジェクト生成器６１０により生成されたＴＳオブジェクトデータは、フォーマッタ６０８のスイッチＳｗ１のＴ２側に送出される。即ち、フォーマッタ６０８は、ＴＳオブジェクト生成器６１０からのＴＳオブジェクトデータのフォーマット時には、システムコントローラ５２０からのスイッチ制御信号Ｓｃ５によりスイッチング制御されて、スイッチＳｗ１をＴ２側にし且つスイッチＳｗ２をＴ１側に接続することで、当該ＴＳオブジェクトデータを出力する（ステップＳ６４）。続いて、このＴＳオブジェクトデータは、変調器６０６を介して、光ディスク１００に記録される（ステップＳ６５）。
【００９２】
これらと並行して、情報Ｉ６としてメモリ５３０に取り込まれた各ＴＳオブジェクトデータのデータ配列情報や各エレメンタリーストリームの構成情報を用いて、ファイルシステム／論理構造生成器５２１により論理情報ファイルデータＤ４を作成する（ステップＳ２４及びステップＳ２５）。そして一連のＴＳオブジェクトデータＤ２の記録終了後に、これを光ディスク１００に追加記録する（ステップＳ６７及びＳ６８）。尚、ステップＳ２４及びＳ２５の処理についても、ステップＳ６５の終了後に行うようにしてもよい。
【００９３】
更に、必要に応じて（例えばタイトルの一部を編集する場合など）、ユーザインタフェース７２０からのタイトル情報等のユーザ入力Ｉ２を、これらのメモリ５３０に格納されていた情報に加えることで、ファイルシステム／論理構造生成器５２１により論理情報ファイルデータＤ４を作成し、これを光ディスク１００に追加記録してもよい。
【００９４】
以上のように、情報記録再生装置５００により、予め別々に用意したビデオデータ、オーディオデータ及びサブピクチャデータを記録する場合における記録処理が行われる。
【００９５】
尚、この記録処理は、ユーザの所有する任意のコンテンツを記録する際にも応用可能である。
【００９６】
（ｉ−４）  オーサリングによりデータを記録する場合：
この場合について図１４及び図１８を参照して説明する。尚、図１８において、図１５と同様のステップには同様のステップ番号を付し、それらの説明は適宜省略する。
【００９７】
この場合は、上述した三つの場合における記録処理を組み合わせることにより、予めオーサリングシステムが、ＴＳオブジェクトの生成、論理情報ファイルデータの生成等を行った後（ステップＳ８１）、フォーマッタ６０８で行うスイッチング制御の処理までを終了させる（ステップＳ８２）。その後、この作業により得られた情報を、ディスク原盤カッティングマシン前後に装備された変調器６０６に、ディスクイメージデータＤ５として送出し（ステップＳ８３）、このカッティングマシンにより原盤作成を行う（ステップＳ８４）。
【００９８】
（ｉｉ）  再生系の構成及び動作：
次に図１４及び図１９を参照して、情報記録再生装置５００のうち再生系を構成する各構成要素における具体的な構成及びそれらの動作を説明する。
【００９９】
図１４において、ユーザインタフェース７２０によって、光ディスク１００から再生すべきタイトルやその再生条件等が、タイトル情報等のユーザ入力Ｉ２としてシステムコントローラに入力される。この際、ユーザインタフェース７２０では、システムコントローラ５２０からの制御信号Ｓｃ４による制御を受けて、例えばタイトルメニュー画面を介しての選択など、再生しようとする内容に応じた入力処理が可能とされている。
【０１００】
これを受けて、システムコントローラ５２０は、光ディスク１００に対するディスク再生制御を行い、光ピックアップ５０２は、読み取り信号Ｓ７を復調器５０６に送出する。
【０１０１】
復調器５０６は、この読み取り信号Ｓ７から光ディスク１００に記録された記録信号を復調し、復調データＤ８として出力する。この復調データＤ８に含まれる、多重化されていない情報部分としての論理情報ファイルデータ（即ち、図３に示したファイルシステム１０５、ディスク情報ファイル１１０、Ｐリスト情報ファイル１２０及びオブジェクト情報ファイル１３０）は、システムコントローラ５２０に供給される。この論理情報ファイルデータに基づいて、システムコントローラ５２０は、再生アドレスの決定処理、光ピックアップ５０２の制御等の各種再生制御を実行する。
【０１０２】
他方、復調データＤ８に、多重化された情報部分としてのＴＳオブジェクトデータが含まれているか又は静止画データが含まれているか、若しくは両者が含まれているかに応じて、切替スイッチＳＷ３は、システムコントローラ５２０からの制御信号Ｓｃ１０による制御を受けて、Ｔ１側たるデマルチプレクサ５０８側に切り替えられるか、又はＴ２側たる静止画デコーダ５１５側に切り替えられる。これにより選択的に、ＴＳオブジェクトデータをデマルチプレクサ５０８に供給し、静止画データを静止画デコーダ５１５に供給する。
【０１０３】
そして、復調データＤ８に含まれる、多重化された情報部分としてのＴＳオブジェクトデータについては、デマルチプレクサ５０８が、システムコントローラ５２０からの制御信号Ｓｃ２による制御を受けてデマルチプレクスする。ここでは、システムコントローラ５２０の再生制御によって再生位置アドレスへのアクセスが終了した際に、デマルチプレクスを開始させるように制御信号Ｓｃ２を送信する。
【０１０４】
デマルチプレクサ５０８からは、ビデオパケット、オーディオパケット及びサブピクチャパケットが夫々送出されて、ビデオデコーダ５１１、オーディオデコーダ５１２及びサブピクチャデコーダ５１３に供給される。
【０１０５】
オーディオデコーダ５１２の前段にはメモリ５１２ｍが設けられている。メモリ５１２ｍは、後述するブラウザブルスライドショーにおいて静止画の再生に伴ってオーディオデータを再生する際に、オーディオデータのバッファとして機能するものである。即ち、メモリ５１２ｍは、ブラウザブルスライドショーにおいてオーディオ再生が途切れることがないように、常に所定量のオーディオデータを保持しつつ、オーディオデコーダ５１２へ出力する。メモリ５１２ｍに対しては、システムコントローラ５２０から制御信号Ｓｃ４５が供給されている。システムコントローラ５２０は、制御信号Ｓｃ４５により、メモリ５１２ｍに対するオーディオデータの書込アドレス及び読出アドレスの管理を行うとともに、メモリ５１２ｍ内に蓄積されているオーディオデータ量をチェックしてオーディオデータが不足しないように制御する。
【０１０６】
そして、ビデオデコーダ５１１、オーディオデコーダ５１２及びサブピクチャデコーダ５１３において、ビデオデータＤＶ、オーディオデータＤＡ及びサブピクチャデータＤＳが夫々復号化される。この際、サブピクチャデータＤＳについては、メモリ５４０を介して加算器５１４に供給される。メモリ５４０からは、システムコントローラ５２０からの制御信号Ｓｃ５による制御を受けて、所定のタイミングで或いは選択的に、サブピクチャデータＤＳが出力され、ビデオデータＤＶとのスーパーインポーズが適宜行われる。即ち、サブピクチャデコーダ５１３から出力されたサブピクチャデータをそのままスーパーインポーズする場合に比べて、スーパーインポーズのタイミングやスーパーインポーズの要否を制御できる。例えば、制御信号Ｓｃ５を用いた出力制御によって、主映像上に、サブピクチャを用いた字幕を適宜表示させたりさせなかったり、或いはサブピクチャを用いたメニュー画面を適宜表示させたりさせなかったりすることも可能となる。
【０１０７】
尚、図６に示したトランスポートストリームに含まれる、ＰＡＴ或いはＰＭＴがパケット化されたパケットについては夫々、復調データＤ８の一部として含まれているが、デマルチプレクサ５０８で破棄される。
【０１０８】
加算器５１４は、システムコントローラ５２０からのミキシングを指示する制御信号Ｓｃ３による制御を受けて、ビデオデコーダ５１１及びサブピクチャデコーダ５１３で夫々復号化されたビデオデータＤＶ及びサブピクチャデータＤＳを、所定タイミングでミキシング或いはスーパーインポーズする。その結果は、ビデオ出力として、当該情報記録再生装置５００から例えばテレビモニタへ出力される。
【０１０９】
他方、オーディオデコーダ５１２で復号化されたオーディオデータＤＡは、オーディオ出力として、当該情報記録再生装置５００から、例えば外部スピーカへ出力される。
【０１１０】
このようなビデオデータＤＶやサブピクチャデータＤＳの再生処理に代えて又は加えて、復調データＤ８に静止画データが含まれる場合には、当該静止画データは、システムコントローラ５２０からの制御信号Ｓｃ１０による制御を受ける切替スイッチＳＷ３を介して、静止画デコーダ５１５に供給される。そして、デコードされたビットマップデータ、ＪＰＥＧデータ等の静止画データは、システムコントローラ５２０からの制御信号Ｓｃ１１による制御を受けて、切替スイッチＳＷ４を介して加算器５１４にそのまま加算される。或いは、切替スイッチＳＷ４を介してメモリ５５０に一旦蓄積される。メモリ５５０からは、システムコントローラ５２０からの制御信号Ｓｃ１２による制御を受けて所定のタイミングで或いは選択的に静止画データが出力されて、切替スイッチＳＷ５を介して加算器５１４に供給される。これにより、静止画データと、ビデオデータＤＶやサブピクチャデータＤＳとのスーパーインポーズが適宜行われる。即ち、静止画デコーダ５１５から出力された静止画データをそのままスーパーインポーズする場合に比べて、スーパーインポーズのタイミングやスーパーインポーズの要否を制御できる。例えば、制御信号Ｓｃ１２を用いた出力制御によって、主映像上や副映像上に、静止画データを用いた、例えばメニュー画面又はウインドウ画面などの静止画若しくは背景画としての静止画を適宜表示させたり、させなかったりすることも可能となる。
【０１１１】
加えて、システムコントローラ５２０からの制御信号Ｓｃ１３による制御を受けて、Ｔ２側に切り替えられた切替スイッチＳＷ５を介して、不図示の経路で別途、静止画データが出力されてもよい。或いは、Ｔ２側に切り替えられることで、切替スイッチＳＷ５から何らの静止画データが出力されなくてもよい。
【０１１２】
ここで、図１９のフローチャートを更に参照して、システムコントローラ５２０による再生処理ルーチンの具体例について説明する。
【０１１３】
図１９において、初期状態として、再生系による光ディスク１００の認識及びファイルシステム１０５（図３参照）によるボリューム構造やファイル構造の認識は、既にシステムコントローラ５２０及びその内のファイルシステム／論理構造判読器５２２にて終了しているものとする。ここでは、ディスク情報ファイル１１０の中のディスク総合情報１１２から、総タイトル数を取得し、その中の一つのタイトル２００を選択する以降の処理フローについて説明する。
【０１１４】
先ず、ユーザインタフェース７２０によって、タイトル２００の選択が行われる（ステップＳ２１１）。これに応じて、ファイルシステム／論理構造判読器５２２の判読結果から、システムコントローラ５２０による再生シーケンスに関する情報の取得が行われる。尚、当該タイトル２００の選択においては、ユーザによるリモコン等を用いた外部入力操作によって、タイトル２００を構成する複数のタイトルエレメント２００−２（図４参照）のうち所望のものが選択されてもよいし、情報記録再生装置５００に設定されるシステムパラメータ等に応じて、一つのタイトルエレメント２００−２が自動的に選択されてもよい。
【０１１５】
次に、この選択されたタイトル２００（タイトルエレメント２００−２）に対応するプレイリストセット１２６Ｓを構成する複数のプレイリスト１２６の内容が、取得される。ここでは、論理階層の処理として、各プレイリスト１２６の構造とそれを構成する各アイテム２０４の情報（図５、図６及び図１３参照）の取得等が行われる（ステップＳ２１２）。
【０１１６】
次に、ステップＳ２１２で取得された複数のプレイリスト１２６の中から、再生すべきプレイリスト１２６の内容が取得される。ここでは例えば、先ずプレイリスト＃１から再生が開始されるものとし、これに対応するプレイリスト１２６の内容が取得される（ステップＳ２１３）。プレイリスト１２６の内容とは、一又は複数のプレイリストエレメント１２６−２（図５参照）等であり、当該ステップＳ２１３の取得処理では、係るプレイリストエレメント１２６−２等の取得が行われる。
【０１１７】
続いて、このプレイリスト１２６に含まれるプリコマンド１２６ＰＲ（図５参照）が実行される（ステップＳ２１４）。尚、プリコマンド１２６ＰＲによって、プレイリストセット１２６Ｓを構成する一定関係を有する複数のプレイリスト１２６のうちの一つを選択することも可能である。また、プレイリスト１２６を構成するプレイリストエレメント１２６−２がプリコマンド１２６ＰＲを有していなければ、この処理は省略される。
【０１１８】
次に、ステップＳ２１３で取得されたプレイリスト１２６により特定されるアイテム２０４（図５〜図７参照）に基づいて、再生すべきＴＳオブジェクト１４２（図３及び図１０参照）を決定する（ステップＳ２１５）。より具体的には、アイテム２０４に基づいて、再生対象であるＴＳオブジェクト１４２に係るオブジェクト情報ファイル１３０（図３参照）の取得を実行し、再生すべきＴＳオブジェクト１４２のストリーム番号、アドレス等を特定する。
【０１１９】
尚、本実施例では、後述するＡＵ（アソシエートユニット）情報１３２Ｉ及びＰＵ（プレゼンテーションユニット）情報３０２Ｉも、オブジェクト情報ファイル１３０に格納された情報として取得される。これらの取得された情報により、前述した論理階層からオブジェクト階層への関連付け（図１３参照）が行われるのである。
【０１２０】
次に、ステップＳ２１５で決定されたＴＳオブジェクト１４２の再生が実際に開始される。即ち、論理階層での処理に基づいて、オブジェクト階層の処理が開始される（ステップＳ２１６）。
【０１２１】
ＴＳオブジェクト１４２の再生処理中、再生すべきプレイリスト１２６を構成する次のアイテム２０４が存在するか否かが判定される（ステップＳ２１７）。そして、次のアイテム２０４が存在する限り（ステップＳ２１７：Ｙｅｓ）、ステップＳ２１５に戻って、上述したＴＳオブジェクト１４２の決定及び再生処理が繰り返される。
【０１２２】
他方、ステップＳ２１７の判定において、次のアイテム２０４が存在しなければ（ステップＳ２１７：Ｎｏ）、実行中のプレイリスト１２６に対応するポストコマンド１２６ＰＳ（図５参照）が実行される（ステップＳ２１８）。尚、プレイリスト１２６を構成するプレイリストエレメント１２６−２がポストコマンド１２６ＰＳを有していなければ、この処理は省略される。
【０１２３】
その後、選択中のタイトル２００を構成する次のプレイリスト１２６が存在するか否かが判定される（ステップＳ２１９）。ここで存在すれば（ステップＳ２１９：Ｙｅｓ）、ステップＳ２１３に戻って、再生すべきプレイリスト１２６の取得以降の処理が繰り返して実行される。
【０１２４】
他方、ステップＳ２１９の判定において、次のプレイリスト１２６が存在しなければ（ステップＳ２１９：Ｎｏ）、即ちステップＳ２１１におけるタイトル２００の選択に応じて再生すべき全プレイリスト１２６の再生が完了していれば、一連の再生処理を終了する。
【０１２５】
以上説明したように、本実施例の情報記録再生装置５００による光ディスク１００の再生処理が行われる。
【０１２６】
（プレイリストセット中のプレイリストの選択方式）
本実施例では、再生されたプレイリスト情報ファイル１２０に含まれるプレイリストセット１２６Ｓから所望のコンテンツ情報に対応するプレイリスト１２６が適宜選択される。
【０１２７】
このようなプレイリストの選択は、例えば、タイトルエレメント２００−２に含まれるプリコマンド２００ＰＲ（図４参照）が、プレイリスト１２６別に、選択条件が記述されたプレイリスト選択命令群リストを備えており、この選択条件に従って行われてもよい。プレイリストセット１２６Ｓに格納された各プレイリスト１２６に付加された属性情報（例えば、映像機能についてのビデオ解像度、プログレッシブ／インターリーブの別、ビデオコーデック、オーディオチャネル数、オーディオコーデック等の、プレイリストに係るコンテンツ情報の属性を示す情報）に従って行われてもよい。或いは、タイトルエレメント２００−２に含まれる、選択条件をプレイリスト毎に格納するプレイリストセット制御情報に従って行われてもよい。このような選択によって、例えば、所望の番組、所望のパレンタルブロック、所望のアングルブロックなど、所望のコンテンツ情報に対応するものの選択が可能となる。或いは、例えば、情報再生システムで再生可能であり好ましくは情報再生システムの有する映像再生機能や音声再生機能を十分に或いは最大限に生かすようなプレイリストの選択が可能となる。
【０１２８】
（ブラウザブルスライドショー）
次に、本発明によるブラウザブルスライドショーについて説明する。ブラウザブルスライドショーとは、複数の静止画から構成される静止画群を順に再生することをいう。この場合、静止画の再生に伴って、例えばＢＧＭなどのオーディオを再生することができる。本発明によるブラウザブルスライドショーでは、静止画の再生を主体とし、静止画の再生に同期させてオーディオを再生することができるように構成される。即ち、静止画の表示クロック（時間軸）を基準とし、静止画をメインのコンテンツととらえて、静止画の表示期間（時間軸）においてオーディオの再生を制御する。
【０１２９】
各静止画には、デフォルトの再生時間が論理的に設定される。この再生時間は、有限値でもよいし、無限値でもよい。静止画の再生時間が有限値であるとは、例えば、ユーザ操作（次の静止画を表示など）が無ければ、その再生時間の経過時に当該静止画の再生が自動的に終了することを意味する。例えば、ある静止画の再生時間が３秒に設定されている場合、ブラウザブルスライドショーにおいてその静止画は３秒間表示される。その後は、次の静止画が再生されるか、又は、ブラウザブルスライドショーが終了する。一方、静止画の再生時間が無限値であるとは、ユーザ操作により次の静止画の表示が指示されるまでは当該静止画を表示し続けることを意味する。なお、ユーザ操作による次の静止画の再生指示とは、例えばユーザが再生装置のリモコン上の「ネクスト（Next）」ボタンを押すことなどが含まれる。
【０１３０】
ブラウザブルスライドショーに関しては、静止画の再生方法及びそれに伴うオーディオの再生方法を規定する情報として、「静止画リピートフラグ」及び「オーディオリピートフラグ」が設定される。なお、これらの情報は、後述するように、図５に示すプレイリストエレメント１２６−２内に含まれる。
【０１３１】
「静止画リピートフラグ」は、ブラウザブルスライドショーにおいて、複数の静止画の再生を繰り返し行うか否かを規定する情報である。静止画リピートフラグがオンに設定されている場合、複数の静止画から構成される静止画群は繰り返し再生される。静止画リピートフラグがオフに設定されている場合、静止画群は１回の再生で終了する。
【０１３２】
静止画群の再生の終了タイミングは、静止画リピートフラグがオンに設定されている場合は、ユーザがブラウザブルスライドショーによる静止画の再生中止指示を入力したときとなる。また、静止画リピートフラグがオフに設定されている場合は、最後の静止画の再生中であってユーザが次の静止画の再生指示を入力するか前記デフォルトの有限時間が経過したときとなる。
【０１３３】
「オーディオリピートフラグ」は、ブラウザブルスライドショーにおいて、静止画と同時に再生されるオーディオを繰り返し再生するか否かを規定する情報である。オーディオリピートフラグがオンに設定されている場合、静止画と同時に再生されるオーディオは、静止画群の再生が終了するまで繰り返し再生される。オーディオリピートフラグがオフに設定されている場合、静止画と同時に再生されるオーディオは１回のみ再生される。
【０１３４】
本発明のブラウザブルスライドショーにおいては、静止画の表示クロック（時間軸）を基準としてオーディオが再生されるので、オーディオの（最大）再生時間は静止画が存在している時間ということになる。但し、ブラウザブルスライドショーにおいては静止画の再生時間は前述のようにユーザ操作により可変となるので、オーディオリピートフラグを設けて、静止画の再生に伴うオーディオの再生時間を規定する。
【０１３５】
図２０〜２３に、静止画リピートフラグ及びオーディオリピートフラグの設定によるブラウザブルスライドショーの再生例を模式的に示す。なお、図２０〜２３の例では、静止画群は３つの静止画＃１〜＃３により構成されているものとする。また、ブラウザブルスライドショー用のオーディオが１つ用意されているものとする。
【０１３６】
図２０は、静止画リピートフラグがオン、オーディオリピートフラグがオフの場合におけるブラウザブルスライドショーの実行例を模式的に示す。ブラウザブルスライドショーが開始すると、まず静止画＃１が再生され、次の静止画の再生指示がなされる度に静止画＃２、＃３、＃１、＃２...と静止画＃１〜＃３が順に繰り返し再生される。そして、再生終了指示があると、静止画再生が終了する。なお、次の静止画の再生指示は、前述の静止画の再生時間が有限値（例えば３秒）に設定されている場合は、その再生時間の経過時になされるか、もしくは、ユーザが操作により次の静止画の再生指示を行ったときになされ、静止画の再生時間が無限値に設定されている場合にはユーザが操作により次の静止画の再生指示を行ったときになされる。また、オーディオリピートフラグはオンに設定されているので、静止画再生が継続している間はオーディオは再生され続ける。よって、オーディオの再生時間が、静止画再生の全時間より短いときには、同じオーディオが繰り返し再生される。
【０１３７】
図２１は、静止画リピートフラグがオン、オーディオリピートフラグがオフの場合におけるブラウザブルスライドショーの実行例を示す。静止画の再生は、図２０に示す例と同様であるが、オーディオリピートフラグがオフであるため、オーディオの再生は１回のみで終了する。この場合、オーディオの再生終了後は、静止画のみが表示され、音声出力は無しとなるが、オーディオの種類や内容などにより例えば繰り返し再生に適さないオーディオデータなどの場合には、図２１に例示するフラグ設定が有効となる。
【０１３８】
図２２は、静止画リピートフラグがオフ、オーディオリピートフラグがオンの場合におけるブラウザブルスライドショーの実行例を示す。静止画の再生は、次の静止画再生指示を受ける度に静止画＃１、＃２、＃３の順に行われ、静止画＃３の再生中に再生終了指示があると終了する。なお、静止画＃３の再生中に次の静止画再生指示があった場合は、それを再生終了指示として取り扱う。また、オーディオリピートフラグがオンに設定されているので、静止画が再生されている間は、オーディオの再生が継続する。よって、オーディオの再生時間が、静止再生の全時間より短いときには、同じオーディオが繰り返し再生される。
【０１３９】
図２３は、静止画リピートフラグがオフ、オーディオリピートフラグもオフの場合におけるブラウザブルスライドショーの実行例を示す。静止画の再生は図２２に示す例と同様である。また、オーディオリピートフラグがオフであるので、オーディオ再生は１回のみで終了する。
【０１４０】
以上のように、本発明によるブラウザブルスライドショーにおいては、静止画リピートフラグの設定により静止画の再生を１回のみとするか繰り返し行うかを規定することができる。また、オーディオリピートフラグの設定により、静止画再生中にオーディオを繰り返し再生するか、１回のみ再生するかを規定することができる。よって、静止画の再生を基準として、それに付随するオーディオの再生方法を設定することにより、様々な態様でブラウザブルスライドショーを実行することが可能となる。
【０１４１】
次に図２４を参照して、ブラウザブルスライドショーを実行するために用いられる、プレイリスト情報テーブルの具体的な構成について説明する。ここに、図２４は、特にブラウザブルスライドショーの実行を可能とする、プレイリスト情報ファイルの一具体例を示す概念図である。
【０１４２】
図２４において、プレイリスト情報テーブルは、プレイリスト総合情報と、プレイリストポインタテーブルと、プレイリスト＃ｉ（１、２、…）情報テーブルとを含んで構成されている。
【０１４３】
これらのうち、「プレイリスト総合情報」は、プレイリストのサイズ、プレイリストの総数等の当該プレイリスト情報テーブルの全体に関する総合的な情報を有する。
【０１４４】
「プレイリストポインタテーブル」は、プレイリスト＃ｉ（ｉ＝１、２、…）情報の格納アドレスを夫々示すプレイリスト＃ｉ（ｉ＝１、２、…）ポインタを有する。
【０１４５】
「プレイリスト＃ｉ情報テーブル」は、(i)プレイリスト＃ｉ（ｉ＝１、２、…）総合情報と、(ii)プレイリスト＃ｉ（ｉ＝１、２、…）アイテム情報テーブルと、(iii)プレイリスト＃ｉ（ｉ＝１、２、…）サブアイテム情報テーブルとを有する。
【０１４６】
本実施例では、プレイリスト＃ｉ情報テーブルは、ブラウザブルスライドショーにおける静止画の再生シーケンスを規定するプレイリスト情報を構成するアイテム情報からなるプレイリスト＃ｉ（ｉ＝１、２、…）アイテム情報テーブルと、ブラウザブルスライドショーを実施するための再生シーケンスを規定するプレイリスト情報を構成するアイテム情報（本実施例では適宜、“サブアイテム情報”）からなるプレイリスト＃ｉ（ｉ＝１、２、…）サブアイテム情報テーブルとに区分けされている。言い換えれば、本実施例では、ブラウザブルスライドショーにおける静止画を再生するためのプレイリストはアイテムから構成されており、静止画と同時に再生されるオーディオを再生するためのプレイリストはサブアイテムから構成されている。
【０１４７】
「プレイリスト＃ｉ総合情報」は、当該プレイリスト＃ｉを構成するアイテムの総数（本例では、“２”）、サブアイテムの総数（本例では“１”）、及び、その他の情報を有する。
【０１４８】
「プレイリスト＃ｉアイテム情報テーブル」は、アイテム情報＃ｉ（本例では、２つのアイテム情報）から構成されている。そして、各アイテム情報は、当該アイテム情報のタイプ（アイテムタイプ）、静止画リピートフラグ、オブジェクト情報ファイル中のオブジェクト番号、及び、オブジェクト情報ファイル１３０内におけるＡＵテーブル内の該当ＡＵ番号などを有する。
【０１４９】
ブラウザブルスライドショーにおける静止画に対応するプレイリストアイテム情報テーブルでは、アイテムタイプは例えば“ブラウザブルスライドショー”と規定される。また、静止画リピートフラグは、オンの場合は、最終静止画の表示中に次の静止画の再生指示を受けたとき、静止画群の先頭の静止画の表示に戻ることを指示するものである。また、オフの場合は、最終静止画の表示中に次の静止画の再生指示を受けたとき、静止画の再生を終了して次のアイテムの再生に移ることを指示するものである。
【０１５０】
さらに、静止画リピートフラグには、「コンティニュー（Continue）」を設定することができる。これは、次のアイテムを含めて１つの再生シーケンスとする（即ち、複数のアイテムを１つのアイテムとして制御する）ことを示す。また、前記「コンティニュー」と対なる情報であり、前記１つの再生シーケンスの終了を明示的に示す「エンド(End)」を併せ持ってもよい。この場合、「エンド」に加えて「オン」又は「オフ」の情報を持つように構成される。図２４の例では、アイテム＃１の最終静止画の再生中に次の静止画の再生指示があるとアイテム＃２の先頭静止画が再生され、アイテム＃２の最終静止画の再生中に次の静止画の再生指示があるとアイテム＃１の先頭静止画が再生されることになる。即ち、静止画リピートフラグは、複数のアイテムにまたがって有効となる場合がある。なお、静止画リピートフラグにコンティニューを設定しなくても、例えば、「アイテムタイプがブラウザブルスライドショーである連続するアイテムは１つの再生シーケンスと見なす」などのルール化を行っておけば同じ効果が得られる。
【０１５１】
「プレイリスト＃ｉサブアイテム情報テーブル」は、サブアイテム情報＃ｉ（本例では、１つのサブアイテム情報）から構成されている。そして、各サブアイテム情報は、当該サブアイテム情報のタイプ（サブアイテムタイプ）、オーディオリピートフラグ、再生開始位置情報、オブジェクト情報ファイル中のオブジェクト番号、オブジェクト情報ファイル１３０内におけるＡＵテーブル内の該当ＡＵ番号を示す情報、及び、オーディオ再生範囲情報などを有する。
【０１５２】
ブラウザブルスライドショーにおけるオーディオに対応するプレイリストサブアイテム情報テーブルでは、サブアイテムタイプは例えば“ブラウザブルスライドショー用オーディオ”と規定される。オーディオリピートフラグは前述したように、オンのときには静止画の再生が継続する限りオーディオを繰り返し再生することを示し、オフのときにはオーディオの再生を１回限りとすることを示す。
【０１５３】
「再生開始位置情報」は、サブアイテムとしてのオーディオの再生開始タイミングを、アイテムとしての静止画の時間軸上で指定する情報である。例えば、最初の静止画とともにオーディオの再生を開始する場合、「Item#1, ES_Tableindex#1」のように、アイテム番号と静止画の表示タイミングを指定する。なお、静止画のデータ形式によって、各静止画に例えばＰＴＳなどの表示時刻情報が付与されている場合（例えば静止画としてＭＰＥＧのI-pictureが使用される場合）、再生開始位置情報は静止画の表示タイミングを静止画の表示時刻情報により指定することとしてもよい。
【０１５４】
図２５は、オブジェクト自体に表示時刻情報が付与されていない例を示す。オブジェクトである静止画＃１〜＃５には表示時刻情報が付与されていないので、図示のようにＰＵが作られているとすれば、静止画は＃２、＃１、＃５の順で再生されることになる。ここで、例えば静止画＃１の表示開始と同時にオーディオの再生を開始するならば、再生開始位置情報は例えば「Item#1, index#2」と指定される。
【０１５５】
図２６はオブジェクト自体に表示時刻情報が付与されている例を示す。図示のように、オブジェクトである静止画＃１〜＃５には、それぞれ表示時刻情報としてＰＴＳが付与されている。静止画の再生については、アイテム情報内に表示すべき静止画が表示時刻情報を利用して、例えばＰＴＳ＝bbb〜dddというように範囲指定される。なお、ブラウザブルスライドショーであるから、この場合のＰＴＳは各静止画の実際の表示時刻を示すものとして利用されるのではなく、オブジェクトである各静止画を識別する目的で使用される。即ち、アドレス情報を用いて、ＰＴＳからパケット番号を取得する。この場合、ＰＵは図２６に示すように構成される。よって、例えば静止画＃３の表示とともにオーディオを再生開始するのであれば、再生開始位置情報は「Item#1, PTS=ccc」と指定される。
【０１５６】
また、サブアイテム情報内の「オーディオ再生範囲情報」は、ブラウザブルスライドショーにおけるオーディオとして、あるオーディオデータのどの部分を再生するかを範囲指定する情報である。これにより、特定のオーディオデータの全体又は任意の一部のみを、ブラウザブルスライドショーにおいて再生すべきオーディオとして指定することができる。
【０１５７】
以上のように、静止画に対応するアイテム情報とオーディオに対応するサブアイテム情報とを区分けして有するプレイリスト情報テーブルに基づいてオブジェクトデータを再生すれば、静止画の時間軸を基準としてＢＧＭなどのオーディオを再生するブラウザブルスライドショーを実行することが可能となる。その際、静止画リピートフラグの設定により静止画を繰り返し表示するか否かを規定することができ、さらにオーディオリピートフラグの設定により静止画の再生状態に対してオーディオの再生を規定することができるので、様々な態様で静止画とオーディオとを再生することが可能となる。
【０１５８】
次に、図２７及び図２８を参照して、上記のブラウザブルスライドショーの再生を行う際に実行される情報記録再生装置５００における処理について説明する。ここに、図２７は、図１９に示したステップＳ２１５の処理の一環として実行される、再生すべきアイテム（アイテム及びサブアイテムを含む）のオブジェクトを決定するための処理の詳細を示すフローチャートである。図２８は、図２７に示すブラウザブルスライドショーを再生するための処理を示すフローチャートである。尚、図２７において、図１９に示したのと同様のステップに同様のステップ番号を付し、それらの説明は省略する。
【０１５９】
図２７において、図１９に示したと同様のステップＳ２１１からＳ２１４の処理が実行された後、図２４に示すプレイリスト情報テーブルを参照することにより、再生すべきアイテムの該当オブジェクトが決定される（ステップＳ２２１）。具体的には、プレイリスト情報テーブル内のアイテム情報内のアイテムタイプを参照し、アイテムタイプがブラウザブルスライドショーに設定されているか否かが判定される。再生すべきアイテムがブラウザブルスライドショーでない場合は（ステップＳ２２１；Ｎｏ）、ブラウザブルスライドショー以外の方法でそのアイテムが再生される（ステップＳ２２２）。
【０１６０】
一方、再生すべきアイテムがブラウザブルスライドショーである場合（ステップＳ２２１；Ｙｅｓ）、当該アイテムに後続するアイテム情報を調べ、ブラウザブルスライドショーとして再生すべき複数のアイテムの再生シーケンスが決定される（ステップＳ２２３）。具体的には、前述のように静止画リピートフラグにコンティニューが設定可能な場合、複数のアイテム情報中のコンティニューの記述に基づいて、どのアイテムまでが１つの再生シーケンスを構成するかを決定する。その代わりに、「アイテムタイプがブラウザブルスライドショーである複数のアイテムが連続しているときにはそれらが１つの再生シーケンスを構成する」とのルール化が予めなされている場合には、各アイテム情報中のアイテムタイプを参照することにより、１つの再生シーケンスが決定される。
【０１６１】
また、サブアイテム情報を参照することにより、当該ブラウザブルスライドショーにおいて再生されるオーディオに関する情報も取得される。
【０１６２】
こうして、１つの再生シーケンスが決定されると、ブラウザブルスライドショーの再生が実行される（ステップＳ２２４）。
【０１６３】
その後、図１９に示したと同様のステップＳ２１７の判定が実行され、次のアイテムが存在する場合には（ステップＳ２１７：Ｙｅｓ）、本実施例では、ステップＳ２１３に戻って以降の処理が繰り返される。また、次のアイテムが存在しない場合にはポストコマンドが実行され（ステップＳ２１８）、次のプレイリストが存在するか否かが判定される（ステップＳ２１９）。次のプレイリストが存在する場合は処理はステップＳ２１２へ戻り、存在しない場合は処理を終了する。
【０１６４】
次に、図２８を参照して、ブラウザブルスライドショーの再生処理について詳しく説明する。図２８において先ず、再生すべきＰＵ（プレゼンテーションユニット）及び静止画のオブジェクトが、ＡＵテーブル１３１及びＥＳマップテーブル１３４（図３参照）が参照されることで、決定される（ステップＳ３０１）。
【０１６５】
次に、再生すべき静止画のアドレス情報によりパケット情報が取得される（ステップＳ３０２）。次に、再生開始すべきオーディオがあるか否かが判定される（ステップＳ３０３）。具体的には、再生すべきオーディオに対応するサブアイテム情報中の再生開始位置情報が参照され、オーディオの再生開始タイミングが到来したか否かが判定される。
【０１６６】
再生すべきオーディオがあると判定された場合、再生すべきオーディオのアドレス情報に基づいてパケット番号が取得され（ステップＳ３０４）、オーディオデータがオーディオデコーダ５１２の前段に設けられたメモリ５１２ｍへ読み込まれる（ステップＳ３０５）。これにより、オーディオの再生準備が完了する。また、ステップＳ３０２で取得されたパケット情報に基づいて、再生すべき静止画データが取得される（ステップＳ３０６）。こうして、静止画の再生準備が完了する。なお、この例ではオーディオデータの取得後に静止画データを取得しているが、この順序は逆でもかまわない。
【０１６７】
そして、ブラウザブルスライドショーとして、静止画の再生が開始される（ステップＳ３０７）。この際、サブアイテム情報内の再生開始位置情報が、オーディオを最初の静止画とともに再生開始することを規定している場合には、同時にオーディオの再生も開始される。
【０１６８】
こうして、ブラウザブルスライドショーの再生が開始されると、システムコントローラ５２０はメモリ５１２ｍを監視し、再生する必要のあるオーディオデータが十分であるか否かを判定する（ステップＳ３０８）。オーディオの再生が開始されると、メモリ５１２ｍ内に保存されていたオーディオデータが順に再生されていくため、オーディオの再生を継続するためには、順次オーディオデータをメモリ５１２ｍへ読み込む必要がある。そこで、システムコントローラ５２０は、メモリ５１２ｍ内のデータ量を監視し、オーディオの再生の進行に応じてオーディオデータの読み込みを行う（ステップＳ３０９）。これにより、ブラウザブルスライドショーの再生中に、再生すべきオーディオが途切れることが防止される。
【０１６９】
次に、サブアイテム情報中のオーディオ再生範囲情報が参照され、オーディオの再生範囲が終了したか否かが判定される（ステップＳ３１０）。オーディオの再生範囲が終了した場合（ステップＳ３１０；Ｙｅｓ）、サブアイテム情報内のオーディオリピートフラグがオンであるか否かが判定される（ステップＳ３１１）。オンである場合は、前述のように静止画の再生が終了するまでオーディオが繰り返し再生されるので、同一のオーディオを最初から再生し始める（ステップＳ３１２）。一方、オフである場合には、オーディオの再生を終了する（ステップＳ３１３）。
【０１７０】
次に、ユーザ操作によりブラウザブルスライドショーの再生の終了指示が入力されたか否かが判定され（ステップＳ３１４）、入力された場合は処理は図２７に示すメインルーチンへ戻る。一方、入力されない場合には、次の静止画を表示すべきか否かが判定される（ステップＳ３１５）。静止画の再生時間が無限値に設定されている場合には、ユーザ操作により次の静止画再生指示が入力されたときに次の静止画を表示すべきと判定される。また、静止画の再生時間が有限値（例えば３秒）に設定されている場合には、その時間経過時に次の静止画を表示すべきとの判定がなされる。次の静止画を表示すべきと判定されない場合（ステップＳ３１６；Ｎｏ）、処理はステップＳ３０８へ戻り、同じ静止画の再生を継続する。
【０１７１】
一方、次の静止画を表示すべきと判定されると（ステップＳ３１６；Ｙｅｓ）、次の静止画が最終静止画であるか否かが判定される（ステップＳ３１６）。最終静止画ではない場合（ステップＳ３１６；Ｎｏ）、次の静止画データを取得するとともに、その静止画の再生と同時に再生を開始すべきオーディオデータがあるか否かが判定される（ステップＳ３１８）。前述のように、ブラウザブルスライドショーにおけるオーディオを再生開始タイミングはサブアイテム情報内の再生開始位置情報により規定される。よって、必ずしも最初の静止画と同時にオーディオが再生されるとは限らず、２番目以降の静止画の再生開始時や再生途中からオーディオが再生されることもある。このため、再生開始すべきオーディオの有無がステップ３１８で判定されている。
【０１７２】
再生開始すべきオーディオがない場合（ステップＳ３１８；Ｎｏ）、次の静止画データが表示され、処理はステップＳ３０８へ戻って静止画（再生すべきオーディオがあればオーディオも）の再生が継続される。一方、再生開始すべきオーディオがある場合（ステップＳ３１８；Ｙｅｓ）、そのオーディオデータをメモリ５１２ｍへ読み込み（ステップＳ３１９）、次の静止画の表示及びオーディオの再生を開始する（ステップＳ３２０）。その後は、処理はステップＳ３０８へ戻り、再生が継続される。
【０１７３】
ステップＳ３１６で次の静止画が最終静止画であると判定された場合（ステップＳ３１６；Ｙｅｓ）、アイテム情報内の静止画リピートフラグがオンであるか否かが判定される（ステップＳ３２２）。静止画リピートフラグがオンである場合には、先に決定された再生シーケンスの始めの静止画データを取得し、その再生を開始する（ステップＳ３２３）。以後は、ステップＳ３１４でブラウザブルスライドショーの終了指示がなされるまで、同一再生シーケンスに含まれる静止画の再生を継続する。一方、静止画リピートフラグがオフである場合には、ブラウザブルスライドショーは終了し、処理は図２７に示すメインルーチンへ戻る。なお、本発明によるブラウザブルスライドショーは、前述のように静止画の再生時間軸を基準にオーディオを再生するものであるから、静止画の再生終了後にオーディオのみが再生されることはない。
【０１７４】
（再生時のアクセスの流れ）
次に図２９を参照して、本実施例における特徴の一つであるＡＵ（アソシエートユニット）情報１３２及びＰＵ（プレゼンテーションユニット）情報３０２を用いた情報記録再生装置５００における再生時のアクセスの流れについて、光ディスク１００の論理構造と共に説明する。ここに図２９は、光ディスク１００の論理構造との関係で、再生時におけるアクセスの流れ全体を概念的に示すものである。
【０１７５】
図２９において、光ディスク１００の論理構造は、論理階層４０１、オブジェクト階層４０３及びこれら両階層を相互に関連付ける論理−オブジェクト関連付け階層４０２という三つの階層に大別される。
【０１７６】
これらのうち論理階層４０１は、再生時に所望のタイトルを再生するための各種論理情報と再生すべきプレイリスト（Ｐリスト）及びその構成内容とを論理的に特定する階層である。論理階層４０１には、光ディスク１００上の全タイトル２００等を示すディスク情報１１０ｄが、ディスク情報ファイル１１０（図３参照）内に記述されており、更に、光ディスク１００上の全コンテンツの再生シーケンス情報１２０ｄが、プレイリスト情報ファイル１２０（図３参照）内に記述されている。より具体的には、再生シーケンス情報１２０ｄとして、各タイトル２００に含まれる一又は複数のタイトルエレメント２００−２に対して夫々、一又は複数のプレイリストセット１２６Ｓの構成が記述されている。更に、各プレイリストセット１２６Ｓは、一又は複数のプレイリスト１２６を含んでおり、各プレイリスト１２６には、一又は複数のアイテム２０４（図１３参照）の構成が記述されている。そして、再生時におけるアクセスの際に、このような論理階層４０１によって、再生すべきタイトル２００を特定し、これに対応するプレイリスト１２６を特定し、更にこれに対応するアイテム２０４を特定する。
【０１７７】
続いて、論理−オブジェクト関連付け階層４０２は、このように論理階層４０１で特定された情報に基づいて、実体データであるＴＳオブジェクトデータ１４０ｄの組み合わせや構成の特定を行うと共に論理階層４０１からオブジェクト階層４０３へのアドレス変換を行うように、再生すべきＴＳオブジェクトデータ１４０ｄの属性とその物理的な格納アドレスとを特定する階層である。より具体的には、論理−オブジェクト関連付け階層４０２には、各アイテム２０４を構成するコンテンツの固まりをＡＵ１３２という単位に分類し且つ各ＡＵ１３２をＰＵ３０２という単位に細分類するオブジェクト情報データ１３０ｄが、オブジェクト情報ファイル１３０（図３参照）に記述されている。
【０１７８】
ここで、「ＰＵ（プレゼンテーションユニット）３０２」とは、複数のエレメンタリーストリームを、再生切り替え単位ごとに関連付けてまとめた単位である。仮に、このＰＵ３０２中にオーディオストリームが３本存在すれば、このビジョンを再生中には、ユーザが自由に３本のオーディオ（例えば、言語別オーディオなど）を切り替えることが可能となる。
【０１７９】
他方、「ＡＵ（アソシエートユニット）１３２」とは、一つのタイトルで使用するＴＳオブジェクト中の、ビデオストリームなどのエレメンタリーストリームを複数まとめた単位であり、一又は複数のＰＵ３０２の集合からなる。より具体的には、ＰＵ３０２を介して間接的に、エレメンタリーストリーム・パケットＩＤ（ＥＳ＿ＰＩＤ）を各ＴＳオブジェクト毎にまとめた単位である。このＡＵ１３２は、例えば多元放送における相互に切り替え可能な複数の番組或いは複数のプログラムなど、コンテンツから考えて相互に特定関係を有する複数の番組或いは複数のプログラムなどの集合に対応している。そして、同一のＡＵ１３２に属したＰＵ３０２は、再生時にユーザ操作により相互に切り替え可能な複数の番組或いは複数のプログラムを夫々構成する一又は複数のエレメンタリーストリームの集合に対応している。
【０１８０】
従って、再生すべきＡＵ１３２が特定され、更にそれに属するＰＵ３０２が特定されれば、再生すべきエレメンタリーストリームが特定される。即ち、図１２に示したＰＡＴやＰＭＴを用いないでも、光ディスク１００から多重記録された中から所望のエレメンタリーストリームを再生可能となる。
【０１８１】
尚、このようなＡＵ１３２及びＰＵ３０２を夫々定義する、ＡＵ情報１３２Ｉ及びＰＵ情報３０２Ｉのより具体的なデータ構成については、後に詳述する。
【０１８２】
ここで実際に再生されるエレメンタリーストリームは、ＰＵ情報３０２から、エレメンタリーストリームのパケットＩＤ（図１２参照）であるＥＳ＿ＰＩＤによって特定或いは指定される。同時に、再生の開始時間及び終了時間を示す情報が、エレメンタリーストリームのアドレス情報に変換されることにより、特定エレメンタリーストリームの特定領域（或いは特定時間範囲）におけるコンテンツが再生されることになる。
【０１８３】
このようにして論理−オブジェクト関連付け階層４０２では、各アイテム２０４に係る論理アドレスから各ＰＵ３０２に係る物理アドレスへのアドレス変換が実行される。
【０１８４】
続いて、オブジェクト階層４０３は、実際のＴＳオブジェクトデータ１４０ｄを再生するための物理的な階層である。オブジェクト階層４０３には、ＴＳオブジェクトデータ１４０ｄが、オブジェクトデータファイル１４０（図３参照）内に記述されている。より具体的には、複数のエレメンタリーストリーム（ＥＳ）を構成するＴＳパケット１４６が時刻毎に多重化されており、これらが時間軸に沿って配列されることにより、複数のエレメンタリーストリームが構成されている（図１１参照）。そして、各時刻で多重化された複数のＴＳパケットは、エレメンタリーストリーム毎に、論理−オブジェクト関連付け階層４０２で特定されるＰＵ３０２に対応付けられている。尚、複数のＰＵ３０２と、一つのエレメンタリーストリームとを関連付けること（例えば、切り替え可能な複数の番組間或いは複数のプログラム間で、同一のオーディオデータに係るエレメンタリーストリームを共通で利用したり、同一のサブピクチャデータに係るエレメンタリーストリームを共通で利用したりすること）も可能である。
【０１８５】
このようにオブジェクト階層４０３では、論理−オブジェクト関連付け階層４０２における変換により得られた物理アドレスを用いての、実際のオブジェクトデータの再生が実行される。
【０１８６】
以上のように図２９に示した三つの階層により、光ディスク１００に対する再生時におけるアクセスが実行される。
【０１８７】
尚、図２９及びその説明については便宜上、サブアイテム以外のアイテム及びサブアイテムの両者が、“アイテム２０４”に含まれる形で図示されており、その説明がなされている。即ち、論理階層４０１から論理−オブジェクト関連付け階層４０２への対応付けについては、サブアイテム以外のアイテムであっても、サブアイテムであっても、アイテム２０４に示された通りである。
【０１８８】
（各情報ファイルの構造）
次に図３０から図３７を参照して、本実施例の光ディスク１００上に構築される各種情報ファイル、即ち図３を参照して説明した（１）ディスク情報ファイル１１０及びプレイリスト情報ファイル１２０、並びに（２）オブジェクト情報ファイル１３０におけるデータ構造の具体例について説明する。
【０１８９】
（１）ディスク情報ファイル及びプレイリスト情報ファイル：
図３０から図３６を参照して、これらのファイルの具体例における各構成要素及び構成要素間の階層構造について説明する。ここに、図３０から図３６は、これらのファイルの階層構造を模式的に示す概念図である。尚、図３０から図３６において、既に図３から図９等を参照して説明したファイル、データ或いは情報等と同様のものには同様の参照符号を付し、それらの説明は適宜省略する。
【０１９０】
先ず、図３０に示すように、本具体例に係る「タイトル情報セット」は、図３等に示したディスク情報ファイル１１０及びプレイリスト情報ファイル１２０を含んでなる情報セットである。
【０１９１】
タイトル情報セットは、一つのディスクヘッダ１１２ｘ、複数のタイトル情報２００（タイトル情報＃１、…、＃ｎ）、複数のプレイ（Ｐ）リストセット１２６Ｓ（Ｐリストセット＃１、…、＃ｎ）及びその他の情報から構成されている。
【０１９２】
（１−１）ディスクヘッダ：
先ず図３０に示したタイトル情報セットのうち、ディスクヘッダ１１２ｘについて、図３０及び図３１を参照して説明する。
【０１９３】
図３０において、ディスクヘッダ１１２ｘは、同図中で右上段に分岐する形で示されており、同図中で上から順に、図３に示したディスク総合情報１１２に対応する情報として、バージョン番号、タイトル総数、タイトル情報総数、プレイ（Ｐ）リストセット総数等の各種情報用の複数フィールドを有する。ディスクヘッダ１１２ｘは、図３に示したタイトルポインタ１１４−１に対応する情報用のテーブルとして、タイトル開始アドレステーブルを有しており、図３に示したプレイリストセットポインタ１２４に対応する情報用のテーブルとして、プレイ（Ｐ）リストセット開始アドレステーブルを有する。ディスクヘッダ１１２ｘは、各タイトルセットの属性を示すタイトルセット属性を示す情報用のフィールドを有する。更にディスクヘッダ１１２ｘは、タイトルテーブル１１２ｘｔｔ及びプレイリストセットテーブル１１２ｘｐｔを有する。
【０１９４】
このように複数のフィールド及び複数のテーブルを有するディスクヘッダ１１２ｘは、ディスク上記録領域全域の複数のタイトルを統括的に管理するためのものである。
【０１９５】
ここに、「バージョン番号」は、当該規格におけるバージョン番号であり、例えばＩＳＯ６４６によれば、コード“００７０”とされる。「タイトル総数」は、ディスク上記録領域全域のタイトルの総数であり、「タイトル情報総数」は、ディスク上記録領域全域のタイトル情報の総数である。「プレイリストセット総数」は、ディスク上記録領域全域のプレイリストセットの総数であり、「タイトル開始アドレステーブル」は、タイトルセットの先頭からの相対的なバイト番号として、各タイトルの開始アドレスを示す。このバイト番号は、例えば０からカウントされる。「プレイリストセット開始アドレステーブル」は、タイトルセットの先頭からの相対的なバイト番号として、各プレイリストセットの開始アドレスを示す。このバイト番号は、例えば０からカウントされる。「タイトルセット属性」は、例えばタイトルセットのデータ長さ、タイトルセットで用いる文字の種類（日本語、英語など）、タイトルセットの名称等のタイトルセットの属性を示す。
【０１９６】
図３１において、タイトルテーブル１１２ｘｔｔは、同図中で右上段に分岐する形で示されており、同図中で上から順に、複数のタイトルメニュー開始アドレス情報＃１、…、＃ｎ及び複数のタイトルコンテンツ開始アドレス情報＃１、…、＃ｎを、番号別に対をなす形式で記録するための複数フィールドを有する。
【０１９７】
ここに、「タイトルメニュー開始アドレス」は、タイトルセットの先頭からの相対的なバイト番号として、各タイトルメニューを含むタイトル情報の開始アドレスを示す。このバイト番号は、例えば０からカウントされる。タイトルメニュー開始アドレス“０”は、ディスク全体に関するメニューであるディスクメニューに割り当てられる。「タイトルコンテンツ開始アドレス」は、タイトルセットの先頭からの相対的なバイト番号として、各コンテンツタイトルを含むタイトル情報の開始アドレスを示す。ここに「コンテンツタイトル」とは、各タイトルのコンテンツを示すタイトルである。このバイト番号は、例えば０からカウントされる。タイトルコンテンツ開始アドレス“０”は、例えばタイトル再生初期に無条件に再生されるファーストプレイタイトルに割り当てられる。
【０１９８】
図３１において、プレイリストセットテーブル１１２ｘｐｔは、同図中で右下段に分岐する形で示されており、複数のプレイ（Ｐ）リストセット開始アドレス＃１、…、＃ｍを記録するための複数フィールドを有する。
【０１９９】
ここに、「プレイリストセット開始アドレス」は、タイトルセットの先頭からの相対的なバイト番号として、各プレイリストセットの開始アドレスを示す。このバイト番号は、例えば０からカウントされる。
【０２００】
（１−２）タイトル情報：
次に図３０に示したタイトル情報セットのうち、タイトル情報２００について、図３０及び図３２を参照して説明する。
【０２０１】
図３０において、タイトル情報２００は、同図中で右中段に分岐する形で示されており、同図中で上から順に、図４に示したタイトル総合情報２００−１に対応するタイトルエレメントの総数を示す情報２００−１ｘを記録するためのフィールドを有し、更に、複数のタイトルエレメント２００−２（タイトルエレメント＃１、…、＃ｋ）及びその他の情報２００−５を記録するための複数フィールドを有する。
【０２０２】
ここに、「タイトルエレメント総数」は、当該タイトル情報に含まれるタイトルエレメントの総数を示す。
【０２０３】
図３２において、各タイトルエレメント２００−２は、同図中で右に分岐する形で示されており、同図中で上から順に、“プレイリストセット番号”が記述されるポインタ２００ＰＴ、候補総数、適用可能な一又は複数のプレイ（Ｐ）リスト番号（即ち、Ｐリスト＃１、…、＃ｋ）が記述されるＰリスト識別情報２００ＰＮを記録するための複数フィールドを有する。更に、Ｐリストプリコマンド２００ＰＲ、Ｐリストポストコマンド２００ＰＳ及び、次に再生されるべきタイトルエレメントを示すネクスト情報２００−６Ｎ等を記録するための複数フィールドを有する。尚、タイトルエレメント２００−２中のその他の情報とは、例えば、シーケンシャル型や分岐型等のタイトルの種類等の各タイトルエレメントに関する情報である。
【０２０４】
ここに、「プレイリストセット番号が記述されるポインタ２００ＰＴ」は、プレイリストセットのＩＤ（識別）番号を示すポインタである。「候補総数」は、当該ポインタ２００ＰＴにより指定されるプレイリストセット中においてタイトルエレメントの選択候補となりえるプレイリストの総数を示す。「Ｐリスト識別情報２００ＰＮ」は、かかる選択候補となりえる一又は複数のプレイリストのＩＤ（識別）番号を示す。かかるＰリスト識別情報２００ＰＮを設けたことにより、一つのプレイリストセット中に異なるタイトル再生のために選択候補となるプレイリストを含ませることができ、一つのプレイリストセットを異なるタイトルエレメントで兼用することが可能となる。一方、「Ｐリストプリコマンド２００ＰＲ」、「Ｐリストポストコマンド２００ＰＳ」及び「ネクスト情報２００−６Ｎ」等については、前述の通りである。
【０２０５】
（１−３）プレイリストセット：
次に図３０に示したタイトル情報セットのうち、プレイリストセット１２６Ｓについて、図３０及び図３３から図３６を参照して説明する。
【０２０６】
図３０において、プレイリストセット１２６Ｓは、同図中で右下段に分岐する形で示されており、同図中で上から順に、図５に示したプレイリストセット総合情報１２６−１に対応する情報として、プレイ（Ｐ）リスト総数及び複数のプレイリスト（ＰＬ）プレゼンテーション（ＰＬプレゼンテーション＃１、…、＃ｉ）を含んでなる情報１２６−１ｘを記録するためのフィールドを有する。更に、プレイリストセット１２６Ｓは、複数のプレイ（Ｐ）リスト１２６（即ち、Ｐリスト＃１、…、＃ｉ）、アイテム定義テーブル１２６−３及びその他の情報１２６−４を記録するための複数フィールドを有する。
【０２０７】
ここに、「プレイリスト総数」は、当該プレイリストセット中のプレイリストの総数を示す。ＰＬプレゼンテーション＃１、…、＃ｉは夫々Ｐリスト＃１、…、＃ｉに対応する属性情報であり、図２３に示される属性情報に相当する。
【０２０８】
図３３に示されるように、各ＰＬプレゼンテーション１２６−１ｘｉは、同図中で右上段へ分岐する形で示されており、同図中で上から順に、ビデオコーデック、ビデオ解像度、ビデオアスペクト比、ビデオフレームレート、オーディオチャネル割当等を示す情報を記録するための複数フィールドを有する。
【０２０９】
ここに、「ビデオコーデック」は、当該プレイリストセットに係る映像情報記録時に使用され、よってその再生時に使用すべきビデオコーデックの種類を示す。「ビデオ解像度」は、当該プレイリストセットのうちメインパス（即ち、主映像を提供するビデオストリーム）に対応するプレイリストに係る映像情報記録時に使用されたビデオ解像度を示す。「ビデオアスペクト比」は、当該プレイリストセットのうちメインパスに対応するプレイリストに係る映像情報記録時に使用されたビデオアスペクト比を示す。「ビデオフレームレート」は、当該プレイリストセットのうちメインパスに対応するプレイリストに係る映像情報記録時に使用されたビデオフレームレートを示す。「オーディオチャネル割当」は、当該プレイリストセットのうちメインパスに対応するプレイリストに係る音声情報記録時に使用されたオーディオチャネルの割当を示す。
【０２１０】
図３３において、各プレイリスト１２６は、同図中で右中段へ分岐する形で示されており、同図中で上から順に、当該プレイリスト１２６のデータ長さを示す情報、プレイリストヘッダ、複数のプレイリストエレメント１２６−２（即ち、Ｐリストエレメント＃１、…、＃ｉ）等を記録するための複数フィールドを有する。
【０２１１】
ここに、プレイリストの「長さ」は、次に続くプレイリストの長さをバイト数で示す。これは、「長さ」フィールド自体を含まないデータ長さを示す。「プレイリストヘッダ」は、当該プレイリストに含まれるプレイリストエレメントの総数、当該プレイリストの再生時間、当該プレイリストの名称等の情報を示す。
【０２１２】
更に図３４において、各プレイリストエレメント１２６−２は、同図中で右へ分岐する形で示されており、同図中で上から順に、マスタープレイ（Ｐ）アイテムについてのアイテム番号を示すポインタ１２６ＰＴ、サブパス総数、複数のサブパス情報１２６−２ｓｕｂ（即ち、サブパス情報＃１、…、＃ｋ）、ネクスト情報１２６−６Ｎ、プレイ（Ｐ）アイテムについてのプリコマンド１２６ＰＲ、プレイ（Ｐ）アイテムについてのポストコマンド１２６ＰＳ及びその他の情報１２６−６等を記録するための複数フィールドを有する。
【０２１３】
ここに、「ポインタ１２６ＰＴ」、「プリコマンド１２６ＰＲ」及び「ポストコマンド１２６ＰＳ」については、前述の通りである。また、「サブパス総数」は、当該プレイリストエレメント内に存在するサブパスの総数を示す。「ネクスト情報１２６−６Ｎ」は、次に再生されるべきプレイリストエレメントを示す。
【０２１４】
更に図３５において、各サブパス情報１２６−２ｓｕｂは、同図中で中央へ向かって右へ分岐する形で示されており、同図中で上から順に、サブパスタイプ及びサブプレイ（Ｐ）アイテム総数、並びに複数のサブプレイ（Ｐ）アイテム情報１２６−ｓｕｂＰＴ（即ち、サブＰアイテム情報１、…、＃ｋ）を記録するための複数フィールドを有する。
【０２１５】
ここに、「サブパスタイプ」は、各種メニュー表示などサブパスによって如何なる表示が行われるかを示す。「サブＰアイテム総数」は、当該サブパスにおけるサブプレイアイテムの総数を示す。
【０２１６】
そして、各サブプレイ（Ｐ）アイテム情報１２６−ｓｕｂＰＴは、同図中で中央から右端へ向かって分岐する形で示されており、同図中で上から順に、サブプレイ（Ｐ）アイテム番号及びマスタープレイ（Ｐ）アイテムのスタートＰＴＳを記録するための複数フィールドを有する。
【０２１７】
ここに、「サブＰアイテム番号」は、当該サブパスにおけるプレイアイテムのＩＤ（識別）番号を示す。「マスタープレイアイテムのスタートＰＴＳ（プレゼンテーションタイムスタンプ）」は、マスタープレイアイテムの再生時間軸上における当該サブアイテムの再生時刻を示す。
【０２１８】
他方で、図３３において、アイテム定義テーブル１２６−３は、同図中で右下段へ分岐する形で示されており、同図中で上から順に、プレイ（Ｐ）アイテムの総数、複数のプレイ（Ｐ）アイテム２０４（即ち、Ｐアイテム＃１、…、＃ｎ）等を記録するための複数フィールドを有する。
【０２１９】
ここに、「プレイアイテムの総数」は、当該アイテム定義テーブルにおけるアイテム２０４の総数を示す。
【０２２０】
図３６において、各アイテム２０４は、同図中で中央へ向かって右上側へ分岐する形で示されており、同図中で上から順に、プレイ（Ｐ）アイテム種類、ストリームオブジェクトプレイ（Ｐ）アイテム２０４-stream等を記録するための複数フィールドを有する。
【０２２１】
ここに、「プレイ（Ｐ）アイテム種類」は、当該プレイアイテムの種類を示す。例えば、動画用のストリームオブジェクトのためのアイテムであれば、コード“００ｈ”とされ、静止画用のオブジェクトのためのアイテムであれば、コード“１０ｈ”とされ、各種メニュー用のオブジェクトのためのアイテムであれば、コード“２０ｈ”とされる。
【０２２２】
更に、ストリームオブジェクトプレイ（Ｐ）アイテム２０４-streamは、同図中で中央から右端へ向かって分岐する形で示されており、同図中で上から順に、各プレイアイテムに係る、ＥＳ（エレメンタリーストリーム）インデックス番号、ＩＮタイム（ＩＮポイント）、ＯＵＴタイム（ＯＵＴポイント）等を示す情報を有する。
【０２２３】
ここに、「ＥＳインデックス番号」は、ＩＮタイム及びＯＵＴタイムが適用されるエレメンタリーストリームのＩＤ（識別）番号及び種類を示す。また、「ＩＮタイム（ＩＮポイント）」及び「ＯＵＴタイム（ＯＵＴポイント）」については、前述の通りであり、例えば９０ｋＨｚの時間ベースで、当該アイテムの再生時刻及び終了時刻が記述される。
【０２２４】
尚、図３６において、アイテム定義テーブル１２６−３は、このようなストリームオブジェクト用、即ち動画用のアイテム２０４に代えて、静止画オブジェクト用のアイテム２０４-stillを含んでもよい。この場合には、アイテム２０４-stillは、プレイアイテムの種類を示す情報、静止画オブジェクトプレイ（Ｐ）アイテム等を有する。
【０２２５】
尚、以上説明したタイトル情報セットにおける各々のデータ量は、固定バイトであってもよいし、可変バイトであってもよい。更に各フィールドは、必要な個数分の各テーブルを追加可能な構造を有してもよい。
【０２２６】
本実施例では特に、図３５に示したサブプレイ（Ｐ）アイテム情報１２６-subＰＴが、図２０〜図２８を参照して説明した“ブラウザブルスライドショー”の再生を実施するためのサブアイテムを指定する。そして、このサブアイテムは、図３６に示したように、プレイリストエレメント１２６−２中の“マスターＰアイテム番号”により示されるアイテム２０４に対応している。この結果、ビデオストリームに基づくタイトルの再生が、アイテム２０４を指定するストリームオブジェクトプレイアイテム２０４-stream（図３６の右端参照）に従ってメインパスとして実行される。この実行と並行して、“ブラウザブルスライドショー”の再生が、サブアイテムを指定するサブアイテム情報１２６−subＰＴm（図３５の右端参照）に従ってサブパスとして行われる。
【０２２７】
（２）オブジェクト情報ファイル：
次に図３７を参照して、“ブラウザブルスライドショー”用のオブジェクトデータがサブピクチャストリームとして主映像をなすビデオストリームなどと共に多重化されて記録されている場合のオブジェクト情報ファイル１３０について一具体例を挙げて詳細に説明する。ここに図３７は、オブジェクト情報ファイル１３０内に構築されるＡＵ（アソシエートユニット）テーブル１３１（図３参照）及びこれに関連付けられるＥＳ（エレメンタリーストリーム）マップテーブル１３４（図３参照）におけるデータ構成の一具体例を図式的に示すものである。
【０２２８】
図３７に示すように本具体例では、オブジェクト情報ファイル１３０内には、オブジェクト情報テーブル（オブジェクト情報ｔａｂｌｅ）が格納されている。そして、このオブジェクト情報テーブルは、図中上段に示すＡＵテーブル１３１及び下段に示すＥＳマップテーブル１３４から構成されている。
【０２２９】
図３７の上段において、ＡＵテーブル１３１は、各フィールド（Ｆｉｅｌｄ）が必要な個数分のテーブルを追加可能な構造を有してもよい。例えば、ＡＵが４つ存在すれば、該当フィールドが４つに増える構造を有してもよい。
【０２３０】
ＡＵテーブル１３１には、別フィールド（Ｆｉｅｌｄ）に、ＡＵの数、各ＡＵへのポインタなどが記述される「ＡＵテーブル総合情報」と、「その他の情報」とが格納されている。
【０２３１】
そして、ＡＵテーブル１３１内には、各ＡＵ＃ｎに対応する各ＰＵ＃ｍにおけるＥＳテーブルインデックス＃ｍ（ＥＳ＿ｔａｂｌｅ  Ｉｎｄｅｘ  ＃ｍ）を示すＡＵ情報１３２Ｉとして、対応するＥＳマップテーブル１３４のインデックス番号（Ｉｎｄｅｘ番号＝…）が記述されている。ここで「ＡＵ」とは、前述の如く例えばテレビ放送でいうところの“番組”に相当する単位（特に、“マルチビジョン型”の放送の場合には、切り替え可能な複数の“ビジョン”を一まとめとした単位）であり、この中に再生単位であるＰＵが一つ以上含まれている。また、「ＰＵ」とは、前述の如く各ＡＵ内に含まれる相互に切り替え可能なエレメンタリーストリームの集合であり、ＰＵ情報３０２Ｉにより各ＰＵに対応するＥＳテーブルインデックス＃が特定されている。例えば、ＡＵでマルチビューコンテンツを構成する場合、ＡＵ内には、複数のＰＵが格納されていて、夫々のＰＵ内には、各ビューのコンテンツを構成するパケットを示す複数のエレメンタリーストリーム・パケットＩＤへのポインタが格納されている。これは後述するＥＳマップテーブル１３４内のインデックス番号を示している。
【０２３２】
図３７の下段において、ＥＳマップテーブル１３４には、フィールド（Ｆｉｅｌｄ）別に、ＥＳマップテーブル総合情報（ＥＳ＿ｍａｐ  ｔａｂｌｅ総合情報）と、複数のインデックス＃ｍ（ｍ＝１，２，…）と、「その他の情報」とが格納されている。
【０２３３】
「ＥＳマップテーブル総合情報」には、当該ＥＳマップテーブルのサイズや、総インデックス数等が記述される。
【０２３４】
そして「インデックス＃ｍ」は夫々、再生に使用される全エレメンタリーストリームのエレメンタリーストリーム・パケットＩＤ（ＥＳ＿ＰＩＤ）と、それに対応するインデックス番号及びエレメンタリーストリームのアドレス情報を含んで構成されている。
【０２３５】
本実施例では例えば、このアドレス情報、即ちＥＳアドレス情報１３４ｄとして、前述のようにエレメンタリーストリームがＭＰＥＧ２のビデオストリームである場合には、Ｉピクチャの先頭のＴＳパケット番号とこれに対応する表示時間のみが、ＥＳマップテーブル１３４中に記述されており、データ量の削減が図られている。一方、サブピクチャストリームのＥＳアドレス情報１３４ｄについては、ＳＰコントロール情報が作用するＳＰデータのエレメンタリーストリームのインデックス番号情報１３４ｅが記述されることにより、データ量の削減が更に図られている。
【０２３６】
このように構成されているため、ＡＵテーブル１３１から指定されたＥＳマップ１３４のインデックス番号から、実際のエレメンタリーストリームのエレメンタリーストリーム・パケットＩＤ（ＥＳ＿ＰＩＤ）が取得可能となる。また、そのエレメンタリーストリーム・パケットＩＤに対応するエレメンタリーストリームのアドレス情報も同時に取得可能であるため、これらの情報を元にしてオブジェクトデータの再生が可能となる。
【０２３７】
以上説明した光ディスク１００のデータ構造によれば、もし新しいタイトルを光ディスク１００に追加する場合でも、簡単に必要な情報を追加できるので有益である。逆に、例えば編集等を行った結果、ある情報が不要になったとしても、単にその情報を参照しなければよいだけであり、実際にその情報をテーブルから削除しなくてもよい構造となっているため有益である。
【０２３８】
尚、図３７では、上段のＡＵテーブル１３１から参照しないＥＳ＿ＰＩＤについても、下段のＥＳマップテーブル１３４のインデックス別に記述してあるが、当該参照しないＥＳ＿ＰＩＤについては、このように記述する必要はない。但し、このように参照しないＥＳ＿ＰＩＤをも記述することで、より汎用性の高いＥＳマップテーブル１３４を作成しておけば、例えば、オーサリングをやり直す場合など、コンテンツを再編集する場合にＥＳマップテーブルを再構築する必要がなくなるという利点がある。
【０２３９】
ここで図３０から図３７を参照して説明した一具体例の如きデータ構造を有する光ディスク１００を再生する際の各種ファイル等の再生順序について説明を加える。
【０２４０】
先ず、図３０に示したタイトル情報セットのうち、ディスクヘッダ１１２ｘが再生される。その一貫として図３１に示したタイトルテーブル１１２ｘｔｔが再生され、そのうちタイトルメニュー開始アドレス又はタイトルコンテンツ開始アドレスが取得される。
【０２４１】
次に、この取得されたアドレス情報に従って、図３０に示したタイトル情報２００の再生が開始される。より具体的には、図３２に示したタイトルエレメント２００−２の再生が行われ、プレイリストセット番号が取得される。更に、プレイリスト＃１〜＃ｋへのポインタ２００ＰＴが取得される。尚、ポインタ２００ＰＴによってプレイリスト１２６を指定する構成を採ることで、前にタイトルエレメント２００−２の再生により特定されたプレイリストセット内にある複数のプレイリストを、複数のタイトル間で共用可能となる。
【０２４２】
次に、図３１に示したプレイリストセットテーブル１１２ｘｐｔが再生され、プレイリストセット開始アドレスが取得される。これに基づいて、図３３に示したプレイリストセット１２６Ｓの再生が開始され、先ずＰＬプレゼンテーション１２６−１ｘｉが再生される。
【０２４３】
次に、要求機能情報の一例たるＰＬプレゼンテーション１２６−１ｘｉと、当該光ディスク１００を再生中の情報再生システムの再生機能（即ち、ビデオパーフォーマンス、オーディオパーフォーマンス等）とが比較されることで、図３３に示したプレイリストセット１２６Ｓ中から、最適なプレイリスト１２６が一つ選択される。
【０２４４】
次に、この選択されたプレイリスト１２６の再生が行われる。より具体的には、図３４に示したプレイリストエレメント１２６−２の再生が行われる。この際、先ずプリコマンド１２６ＰＲが実行され、続いて、図３５に示したマスターＰアイテム番号が取得され、図３６に示したアイテム定義テーブルが参照されることで、該当するアイテム２０４が再生される。このアイテム２０４の再生は、実際には、ストリームオブジェクトＰアイテム２０４-streamを再生することで得られるＥＳインデックス番号、ＩＮタイム及びＯＵＴタイムに従って、該当するＴＳオブジェクトを再生することで行われる（図３７参照）。その後、図３４に示したポストコマンド１２６ＰＳが実行され、更に、ネクスト情報１２６−６Ｎに従って、次に再生すべきプレイリストエレメントの指定が行われて、その再生が同様に繰り返して行われる。
【０２４５】
図３８に、ブラウザブルスライドショー用のオブジェクト情報テーブルの具体例を示す。この例では、静止画はＭＰＥＧなどの表示時刻情報がオブジェクト自体に付与されているものではなく、各静止画はＰＵ内のindex番号順に表示される。ＡＵテーブル内の「オブジェクトのタイプ」は各オブジェクトの用途を指すものであり、この例ではオブジェクト＃１及び＃３はブラウザブルスライドショーに使用される静止画を示し、オブジェクト＃２はブラウザブルスライドショーに使用されるオーディオデータを示す。
【０２４６】
アイテム情報およびサブアイテム情報は、オブジェクト情報ファイル１３０内における該当オブジェクト番号を示す情報を更に有する。これらの該当オブジェクト番号、該当ＡＵ番号などにより該当オブジェクトが特定され、前述の再生シーケンス（図２７及び図２８参照）により再生される。
【０２４７】
以上図１から図３８を参照して詳細に説明したように、本実施例によれば、例えばアイテムによるタイトルの再生及び表示出力中に、対応するサブアイテムによるメニューの再生を行うと共に該再生されたメニューの表示出力を選択的に行うことで、タイトル再生を継続したままで小ウインドウ表示や半透明のスーパーインポーズ表示などのメニュー画面の表示を効率的に行うことが可能となる。
【０２４８】
尚、上述の実施例では、情報記録媒体の一例として光ディスク１００並びに情報再生記録装置の一例として光ディスク１００に係るレコーダ又はプレーヤについて説明したが、本発明は、光ディスク並びにそのレコーダ又はプレーヤに限られるものではなく、他の高密度記録或いは高転送レート対応の各種情報記録媒体並びにそのレコーダ又はプレーヤにも適用可能である。
【０２４９】
例えば、図３９に示されるように、プレイ（Ｐ）リスト中にサブＰアイテム番号とマスターＰアイテムのスタートＰＴＳからなるデフォルトサブＰアイテム情報１２６ＭＩを持たせ、各Ｐリストエレメント内にサブパス情報がないとき、かかるデフォルトサブＰアイテム情報１２６ＭＩを共通に使用するようにしても良い。
【０２５０】
本発明は、上述した実施例に限られるものではなく、請求の範囲及び明細書全体から読み取れる発明の要旨或いは思想に反しない範囲で適宜変更可能であり、そのような変更を伴う情報記録媒体、情報記録装置及び方法、情報再生装置及び方法、情報記録再生装置及び方法、記録又は再生制御用のコンピュータプログラム、並びに制御信号を含むデータ構造もまた本発明の技術的範囲に含まれるものである。
【０２５１】
例えば、上述した実施例によれば、静止画情報は複数の静止画を含むものであったが、少なくとも一枚の静止画を含むものであっても良い。
【産業上の利用可能性】
【０２５２】
本発明に係る情報記録媒体、情報記録装置及び方法、情報再生装置及び方法、情報記録再生装置及び方法、記録又は再生制御用のコンピュータプログラム、並びに制御信号を含むデータ構造は、例えば、民生用或いは業務用の、主映像、音声、副映像等の各種情報を高密度に記録可能なＤＶＤ等の高密度光ディスクに利用可能であり、更にＤＶＤプレーヤ、ＤＶＤレコーダ等にも利用可能である。また、例えば民生用或いは業務用の各種コンピュータ機器に搭載される又は各種コンピュータ機器に接続可能な、情報記録媒体、情報記録再生装置等にも利用可能である。
【符号の説明】
【０２５３】
１００  光ディスク
１０５  ファイルシステム
１１０  ディスク情報ファイル
１２０  プレイリスト情報ファイル
１２６  プレイリスト
１２６Ｓ  プレイリストセット
１３０  オブジェクト情報ファイル
１３４  ＥＳマップテーブル
１４０  オブジェクトデータファイル
１４２  ＴＳ（トランスポートストリーム）オブジェクト
１４６  ＴＳパケット
２００  タイトル
２００−２  タイトルエレメント
２０４  アイテム
５００  情報記録再生装置
５０２  光ピックアップ
５０６  復調器
５０８  デマルチプレクサ
５１１  ビデオデコーダ
５１２  オーディオデコーダ
５１３  サブピクチャデコーダ
５２０  システムコントローラ
５４０  メモリ
６０６  変調器
６０８  フォーマッタ
６１０  ＴＳオブジェクト生成器
６１１  ビデオエンコーダ
６１２  オーディオエンコーダ
６１３  サブピクチャエンコーダ
【図１】
2010003407.tif 000003
【図２】
2010003407.tif 000004
【図３】
2010003407.tif 000005
【図４】
2010003407.tif 000006
【図５】
2010003407.tif 000007
【図６】
2010003407.tif 000008
【図７】
2010003407.tif 000009
【図８】
2010003407.tif 000010
【図９】
2010003407.tif 000011
【図１０】
2010003407.tif 000012
【図１１】
2010003407.tif 000013
【図１２】
2010003407.tif 000014
【図１３】
2010003407.tif 000015
【図１４】
2010003407.tif 000016
【図１５】
2010003407.tif 000017
【図１６】
2010003407.tif 000018
【図１７】
2010003407.tif 000019
【図１８】
2010003407.tif 000020
【図１９】
2010003407.tif 000021
【図２０】
2010003407.tif 000022
【図２１】
2010003407.tif 000023
【図２２】
2010003407.tif 000024
【図２３】
2010003407.tif 000025
【図２４】
2010003407.tif 000026
【図２５】
2010003407.tif 000027
【図２６】
2010003407.tif 000028
【図２７】
2010003407.tif 000029
【図２８】
2010003407.tif 000030
【図２９】
2010003407.tif 000031
【図３０】
2010003407.tif 000032
【図３１】
2010003407.tif 000033
【図３２】
2010003407.tif 000034
【図３３】
2010003407.tif 000035
【図３４】
2010003407.tif 000036
【図３５】
2010003407.tif 000037
【図３６】
2010003407.tif 000038
【図３７】
2010003407.tif 000039
【図３８】
2010003407.tif 000040
【図３９】
2010003407.tif 000041